(57)【要約】      （修正有）【課題】ネットワーク装置が需要に応じてビームの使用し得る伝送リソースを変更することが可能な無線通信方法及び装置を提供する。【解決手段】通信システムにおいて、ネットワーク装置は、Ｍ個のビームグループの使用し得る伝送リソースを確定しＳ２１０、端末装置＃Ａへ各ビームグループの使用し得る伝送リソース＃Ａを指示するＳ２２０。すなわち、ネットワーク装置がビームの使用し得る伝送リソースを端末装置に示すことにより、需要に応じてビームの使用し得る伝送リソースを変更する。【選択図】図３
2022003805.tif 000002
【特許請求の範囲】
【請求項１】
無線通信方法であって、少なくとも２つのビームを用いる通信システムで実行されるものであり、
ネットワーク装置がＭ個のダウンリンクビームグループの使用し得る伝送リソースを確定し、ここで、各ダウンリンクビームグループが前記少なくとも２つのビームのうちの少なくとも一つを含み、Ｍ≧１であることと、
前記ネットワーク装置が第一の端末装置へ配置情報を送信し、前記配置情報がＭ個のダウンリンクビームグループの各ダウンリンクビームグループの使用し得る伝送リソースを示すことに用いられることとを含み、
前記ネットワーク装置が第一の端末装置へ配置情報を送信することは、
前記ネットワーク装置が物理ブロードキャストチャネル（ＰＢＣＨ）により、前記第一の端末装置を含む複数の端末装置へ前記配置情報を送信することを含み、
各ダウンリンクビームグループの使用し得る伝送リソースは通信システムにリザーブされた伝送リソースを含まなく、通信システムにリザーブされた伝送リソースが所定のチャネルの伝送のみに用いられ、
前記Ｍ個のダウンリンクビームグループ内の第一のダウンリンクビームグループの使用し得る伝送リソースは前記第一のダウンリンクビームグループを搬送する制御チャネルに使用される第一の伝送リソースを含む、前記無線通信方法。
【請求項２】
前記配置情報は具体的に前記Ｍ個のダウンリンクビームグループと前記Ｍ個の伝送リソースとの一対一マッピング関係を示すことに用いられることを特徴とする請求項１に記載の方法。
【請求項３】
前記ネットワーク装置が第一の端末装置へ配置情報を送信することは、
前記ネットワーク装置が前記第一の端末装置へ第一の配置情報を送信し、前記第一の配置情報がＱ個の伝送リソースの配置、及び前記Ｑ個の伝送リソースとＱ個の第一の識別子との間に有する一対一マッピング関係を示すことに用いられ、Ｑ≧Ｍであり、前記Ｑ個の伝送リソースが前記Ｍ個のダウンリンクビームグループの使用し得る伝送リソースを含むことと、
前記ネットワーク装置が前記第一の端末装置へ第二の配置情報を送信し、前記第二の配置情報が前記Ｍ個のダウンリンクビームグループ内の各ダウンリンクビームグループの使用し得る伝送リソースに対応する第一の識別子を含むこととを含むことを特徴とする
請求項１または２に記載の方法。
【請求項４】
前記伝送リソースは時間領域伝送リソースを含むことを特徴とする
請求項１−３のいずれか一項に記載の方法。
【請求項５】
前記ネットワーク装置が所在する通信システムが使用できる時間領域リソースは時間領域において少なくとも２つの時間単位に分けられ、及び
前記配置情報は、各ダウンリンクビームグループの使用し得る伝送リソースに含まれる時間単位の前記少なくとも２つの時間単位における位置を具体的に示すことに用いられることを特徴とする
請求項４に記載の方法。
【請求項６】
前記伝送リソースは周波数領域伝送リソースを含むことを特徴とする
請求項１−５のいずれか一項に記載の方法。
【請求項７】
無線通信装置であって、少なくとも２つのビームを用いる通信システムに配置されるものであり、
Ｍ個のダウンリンクビームグループの使用し得る伝送リソースを確定するように構成され、ここで、各ダウンリンクビームグループが前記少なくとも２つのビームのうちの少なくとも一つを含み、Ｍ≧１である確定ユニットと、
第一の端末装置へ配置情報を送信するように構成され、前記配置情報がＭ個のダウンリンクビームグループの各ダウンリンクビームグループの使用し得る伝送リソースを示すことに用いられる通信ユニットとを備え、
前記通信ユニットは具体的に物理ブロードキャストチャネル（ＰＢＣＨ）により、前記第一の端末装置を含む複数の端末装置へ前記配置情報を送信するように構成され、
各ダウンリンクビームグループの使用し得る伝送リソースは通信システムにリザーブされた伝送リソースを含まなく、通信システムにリザーブされた伝送リソースが所定のチャネルの伝送のみに用いられ、
前記Ｍ個のダウンリンクビームグループ内の第一のダウンリンクビームグループの使用し得る伝送リソースは前記第一のダウンリンクビームグループを搬送する制御チャネルに使用される第一の伝送リソースを含む、前記無線通信装置。
【請求項８】
前記配置情報は具体的に前記Ｍ個のダウンリンクビームグループと前記Ｍ個の伝送リソースとの一対一マッピング関係を示すことに用いられることを特徴とする
請求項７に記載の装置。
【請求項９】
前記通信ユニットは前記第一の端末装置へ第一の配置情報を送信するように構成され、前記第一の配置情報がＱ個の伝送リソースの配置、及び前記Ｑ個の伝送リソースとＱ個の第一の識別子との間に有する一対一マッピング関係を示すことに用いられ、Ｑ≧Ｍであり、前記Ｑ個の伝送リソースが前記Ｍ個のダウンリンクビームグループの使用し得る伝送リソースを含み、
前記通信ユニットはさらに前記第一の端末装置へ第二の配置情報を送信するように構成され、前記第二の配置情報が前記Ｍ個のダウンリンクビームグループ内の各ダウンリンクビームグループの使用し得る伝送リソースに対応する第一の識別子を含むことを特徴とする
請求項７または８に記載の装置。
【請求項１０】
前記伝送リソースは時間領域伝送リソースを含むことを特徴とする
請求項７−９のいずれか一項に記載の装置。
【請求項１１】
前記装置が所在する通信システムが使用できる時間領域リソースは時間領域において少なくとも２つの時間単位に分けられ、及び
前記配置情報は、各ダウンリンクビームグループの使用し得る伝送リソースに含まれる時間単位の前記少なくとも２つの時間単位における位置を具体的に示すことに用いられることを特徴とする
請求項１０に記載の装置。
【請求項１２】
前記伝送リソースは周波数領域伝送リソースを含むことを特徴とする
請求項７−１１のいずれか一項に記載の装置。
【発明の詳細な説明】
【技術分野】
【０００１】
本発明の実施例は通信分野に関し、且つより具体的には、無線通信方法及び装置に関する。
【背景技術】
【０００２】
現在、ネットワーク装置が複数のビームを提供することにより、異なるビームによって異なるカバレッジを提供することができるというマルチビームシステムが知られている。
【０００３】
該従来技術において、異なるビームの使用し得る伝送リソース（例えば周波数領域リソース又は時間領域リソース）は固定され、即ち、通信システムはあるビームの使用し得る伝送リソースを規定することができ、且つ、通信システムが動作する時間帯に、該ビームは通信システムに規定された伝送リソースのみを使用することができる。
【０００４】
通信技術の発展に伴い、伝送リソースに対する通信サービスの要求も多様化し、異なる時間帯において伝送リソースに対する同一のサービスの要求も異なる可能性があり、ビームの使用し得る伝送リソースが変更できないため、該従来のマルチビームシステムは端末装置のサービス要求を満たすことができない可能性があり、マルチビームシステムの実用性及びユーザ体験に深刻な影響を与える。
【発明の概要】
【発明が解決しようとする課題】
【０００５】
本発明の実施例はマルチビームシステムの実用性とユーザ体験を向上させることができる無線通信方法及び装置を提供する。
【課題を解決するための手段】
【０００６】
第一の態様による無線通信方法は、少なくとも２つのビームを用いる通信システムで実行されるものであり、ネットワーク装置がＭ個のビームグループの使用し得る伝送リソースを確定し、ここで、各ビームグループが該少なくとも２つのビームのうちの少なくとも一つのビームを含み、Ｍ≧１であることと、該ネットワーク装置が第一の端末装置へ配置情報を送信し、該配置情報が各ビームグループの使用し得る伝送リソースを示すことに用いられることとを含む。
【０００７】
ネットワーク装置に、一つ又は複数のビームの使用し得る伝送リソースを確定させ、そして該一つ又は複数のビームの使用し得る伝送リソースを配置情報で端末装置に示すことにより、ネットワーク装置が需要に応じてビームの使用し得る伝送リソースを変更することをサポートすることができ、それによって異なるサービス要求を満たし、マルチビームシステムの実用性とユーザ体験を向上させることができる。
【０００８】
第一の態様と組み合わせ、第一の態様の第一の実施形態では、いずれかの２つのビームの使用し得る伝送リソースは異なる。
【０００９】
第一の態様及びその上記実施形態と組み合わせ、第一の態様の第二の実施形態では、該ネットワーク装置がＭ個のビームグループの使用し得る伝送リソースを確定することは、該ネットワーク装置がビームグループｉに含まれるビームの関連情報に基づき、該ビームグループｉの使用し得る伝送リソースを確定し、ここで、ｉ∈［１，Ｍ］であり、該ビームグループｉに含まれるビームの関連情報が該ビームグループｉに含まれるビームで伝送されるサービスのサービス要求に対応することを含む。
【００１０】
ネットワーク装置がビームの関連情報に基づいて該ビームの使用し得る伝送リソースを確定することにより、該ビームの使用し得る伝送リソースが該ビームで搬送されるサービスのサービス要求（又は伝送リソースに対する要求）を満たすことができ、それによってマルチビームシステムの実用性とユーザ体験をさらに向上させることができる。
【００１１】
第一の態様及びその上記実施形態と組み合わせ、第一の態様の第三の実施形態では、該ビームグループｉに含まれるビームの関連情報は、ビームグループｉに含まれるビームのカバレッジ内の端末装置の数、ビームグループｉに含まれるビームで伝送される必要があるサービスのサービスタイプ、ビームグループｉに含まれるビームで伝送される必要があるサービスのサービス量のうちの少なくとも一つを含み、ｉ∈［１，Ｍ］である。
【００１２】
第一の態様及びその上記実施形態と組み合わせ、第一の態様の第四の実施形態では、該ネットワーク装置がビームグループｉに含まれるビームの関連情報に基づき、第一のビームグループｉの使用し得る伝送リソースを確定することは、該ネットワーク装置が該ビームグループｉに含まれるビームの関連情報がプリセット条件を満たしていることを確定した後、ビームグループｉに含まれるビームの関連情報に基づき、ビームグループｉの使用し得る伝送リソースを確定し、ｉ∈［１，Ｍ］であることを含む。
【００１３】
ネットワーク装置がビームの関連情報がプリセット条件を満たしていることを確定した後に該ビームの使用し得る伝送リソースの割り当てを行うことにより、該ビームで搬送されるサービスのサービス要求が変化する時に、ビームによって使用される伝送リソースをタイムリーに調整することができ、それによってマルチビームシステムの実用性とユーザ体験をさらに向上させることができる。
【００１４】
第一の態様及びその上記実施形態と組み合わせ、第一の態様の第五の実施形態では、前記ネットワーク装置がＭ個のビームグループの使用し得る伝送リソースを確定することは、該ネットワーク装置がビームグループｉの使用し得る伝送リソースを周期的に確定し、ここで、ｉ∈［１，Ｍ］であることを含む。
【００１５】
第一の態様及びその上記実施形態と組み合わせ、第一の態様の第六の実施形態では、該ネットワーク装置が第一の端末装置へ配置情報を送信することは、該ネットワーク装置が該第一の端末装置に対する専用シグナリングにより、該第一の端末装置へ該配置情報を送信すること、又は該ネットワーク装置が物理ブロードキャストチャネル（ＰＢＣＨ）又はシステムブロードキャストメッセージにより、該第一の端末装置を含む複数の端末装置へ該配置情報を送信することを含む。
【００１６】
第一の態様及びその上記実施形態と組み合わせ、第一の態様の第七の実施形態では、該配置情報は具体的に該Ｍ個のビームグループと該Ｍ個の伝送リソースとの一対一マッピング関係を示すことに用いられる。
【００１７】
第一の態様及びその上記実施形態と組み合わせ、第一の態様の第八の実施形態では、該ネットワーク装置が第一の端末装置へ配置情報を送信することは、該ネットワーク装置が該第一の端末装置へ第一の配置情報を送信し、該第一の配置情報がＱ個の伝送リソースの配置、及びＱ個の伝送リソースとＱ個の第一の識別子の間に有する一対一マッピング関係を示すことに用いられ、Ｑ≧Ｍであり、前記Ｑ個の伝送リソースが前記Ｍ個のビームグループの使用し得る伝送リソースを含むことと、該ネットワーク装置が該第一の端末装置へ第二の配置情報を送信し、該第二の配置情報が該Ｍ個のビームグループ内の各ビームの使用し得る伝送リソースに対応する第一の識別子を含むこととを含む。
【００１８】
ネットワーク装置に複数の伝送リソースの配置を予め伝送させることにより、ビームの使用し得る伝送リソースを変更する必要がある時に、ネットワーク装置は変更された伝送リソースに対応する識別子のみを伝送することができ、それによってビームの使用し得る伝送リソースを変更する時のシグナリングオーバーヘッド及び遅延を減らすことができる。
【００１９】
第一の態様及びその上記実施形態と組み合わせ、第一の態様の第九の実施形態では、該ネットワーク装置が第一の端末装置へ第一の配置情報を送信することは、該ネットワーク装置が無線リソース制御（ＲＲＣ）シグナリングにより該第一の端末装置へ該第一の配置情報を送信することを含み、該ネットワーク装置が該第一の端末装置へ第二の配置情報を送信することは、該ネットワーク装置がメディアアクセス制御（ＭＡＣ）制御ユニット（ＣＥ）又はダウンリンク制御情報（ＤＣＩ）により、該第一の端末装置へ該第二の配置情報を送信することを含む。
【００２０】
第一の態様及びその上記実施形態と組み合わせ、第一の態様の第十の実施形態では、該ネットワーク装置が該第一の端末装置へ第一の配置情報を送信することは、該ネットワーク装置がＭＡＣ  ＣＥにより、該第一の端末装置へ該第一の配置情報を送信することを含み、該ネットワーク装置が該第一の端末装置へ第二の配置情報を送信することは、該ネットワーク装置がＤＣＩにより、該第一の端末装置へ該第二の配置情報を送信することを含む。
【００２１】
第一の態様及びその上記実施形態と組み合わせ、第一の態様の第十一の実施形態では、該ネットワーク装置が該第一の端末装置へ配置情報を送信することは、該ネットワーク装置が該第一の端末装置へ第三の配置情報を送信し、該第三の配置情報がＨ個の伝送リソースセットのそれぞれに含まれる伝送リソースの配置及び該Ｍ個のビームグループを含むＨ個のビームグループと該Ｈ個の伝送リソースセットとの間に有する一対一マッピング関係を示すことに用いられ、ここで、該Ｈ個のビームグループのそれぞれが少なくとも一つのビームを含み、各伝送リソースセットが少なくとも一つの伝送リソースを含み、Ｈ≧Ｍであり、前記Ｈ個の伝送リソースセットが前記Ｍ個のビームグループの使用し得る伝送リソースを含むことと、該ネットワーク装置が該第一の端末装置へ第四の配置情報を送信し、該第四の配置情報が該Ｍ個のビームグループのそれぞれの識別子を含み、且つ該第四の配置方法が、該ビームグループｉに対応する伝送リソースセットにおけるビームグループｉの使用し得る伝送リソースのインデックスを示すことに用いられ、ｉ∈［１，Ｍ］であることとを含む。
【００２２】
ネットワーク装置に複数の伝送リソースセットと複数のビームグループとのマッピング関係を端末装置に予め通知させることにより、且つビームの使用し得る伝送リソースを変更する必要がある時に、ネットワーク装置は変更されたビームの識別子とインデックスのみを伝送することができ、それによって端末装置は該ビームに対応する伝送リソースセットを確定し、そしてその中から該ビームの使用し得る伝送リソースを必要とすることを確定することができ、これによりビームの使用し得る伝送リソースを変更する時のシグナリングオーバーヘッド及び遅延を減らすことができ、伝送リソース使用に対する異なるビームの個性化ニューズを満たすことができる。
【００２３】
第一の態様及びその上記実施形態と組み合わせ、第一の態様の第十二の実施形態では、該ネットワーク装置が該第一の端末装置へ第三の配置情報を送信することは、該ネットワーク装置がＲＲＣシグナリングにより、該第一の端末装置へ該第三の配置情報を送信することを含み、該ネットワーク装置が該第一の端末装置へ第四の配置情報を送信することは、該ネットワーク装置がＭＡＣＣＥ又はＤＣＩにより、該第一の端末装置へ該第四の配置情報を送信することを含む。
【００２４】
第一の態様及びその上記実施形態と組み合わせ、第一の態様の第十三の実施形態では、該ネットワーク装置が該第一の端末装置へ第三の配置情報を送信することは、該ネットワーク装置がＭＡＣ  ＣＥにより、該第一の端末装置へ該第三の配置情報を送信することを含み、該ネットワーク装置が該第一の端末装置へ第四の配置情報を送信することは、該ネットワーク装置がＤＣＩにより、該第一の端末装置へ該第四の配置情報を送信することを含む。
【００２５】
第一の態様及びその上記実施形態と組み合わせ、第一の態様の第十四の実施形態では、該伝送リソースは時間領域伝送リソースを含む。
【００２６】
第一の態様及びその上記実施形態と組み合わせ、第一の態様の第十五の実施形態では、該ネットワーク装置が所在する通信システムが使用できる時間領域リソースは時間領域において少なくとも２つの時間単位に分けられ、及び該配置情報は、各ビームグループの使用し得る伝送リソースに含まれる時間単位の該少なくとも２つの時間単位における位置を具体的に示すことに用いられる。
【００２７】
第一の態様及びその上記実施形態と組み合わせ、第一の態様の第十六の実施形態では、該配置情報は具体的に該少なくとも２つの時間単位のそれぞれがビームグループｉの使用し得る伝送リソースの識別子であるか否かを示すことに用いられ、ｉ∈［１，Ｍ］である。
【００２８】
第一の態様及びその上記実施形態と組み合わせ、第一の態様の第十七の実施形態では、該伝送リソースは周波数領域伝送リソースを含む。
【００２９】
第一の態様及びその上記実施形態と組み合わせ、第一の態様の第十八の実施形態では、該ネットワーク装置が所在する通信システムの使用し得る周波数領域リソースは少なくとも２つの周波数領域単位に分けられ、及び該配置情報は、各ビームグループの使用し得る伝送リソースに含まれる周波数領域単位の該少なくとも２つの周波数領域単位における位置を具体的に示すことに用いられる。
【００３０】
第一の態様及びその上記実施形態と組み合わせ、第一の態様の第十九の実施形態では、該配置情報は具体的に該少なくとも２つの周波数領域単位のそれぞれがビームグループｉの使用し得る伝送リソースの識別子であるか否かを示すことに用いられ、ｉ∈［１，Ｍ］である。
【００３１】
第一の態様及びその上記実施形態と組み合わせ、第一の態様の第二十の実施形態では、各ビームグループの使用し得る伝送リソースは通信システムにリザーブされた伝送リソースを含まなく、通信システムにリザーブされた伝送リソースが所定のサービス又は所定のチャネルの伝送のみに用いられる。
【００３２】
第一の態様及びその上記実施形態と組み合わせ、第一の態様の第二十一の実施形態では、該システムにリザーブされた伝送リソースは同期チャネル又は物理ブロードキャストチャネル（ＰＢＣＨ）を搬送するためのリソースを含む。
【００３３】
第一の態様及びその上記実施形態と組み合わせ、第一の態様の第二十二の実施形態では、該Ｍ個のビームグループ内の第一のビームと第二のビームの使用し得る伝送リソースは一部で同じ又は全て同じである。
【００３４】
第一の態様及びその上記実施形態と組み合わせ、第一の態様の第二十三の実施形態では、該Ｍ個のビームグループ内の第一のビームグループの使用し得る伝送リソースは該第一のビームグループを搬送する制御チャネルに使用される第一の伝送リソースを含み、及び／又は該第一のビームグループの使用し得る伝送リソースは該第一のビームグループを搬送するデータチャネルに使用される第二の伝送リソースを含む。
【００３５】
第一の態様及びその上記実施形態と組み合わせ、第一の態様の第二十四の実施形態では、ネットワーク装置がＭ個のビームグループの使用し得る伝送リソースを確定することは、該ネットワーク装置がＭ個のビームグループのそれぞれによって第一の時間帯で使用され得る伝送リソースを確定することと、該ネットワーク装置がＭ個のビームグループのそれぞれによって第二の時間帯で使用され得る伝送リソースを確定することとを含み、該ネットワーク装置が第一の端末装置へ配置情報を送信することは、該ネットワーク装置が該第一の時間帯の前に該第一の端末装置へ第五の配置情報を送信し、該第五の配置情報が該Ｍ個のビームグループのそれぞれによって該第一の時間帯で使用され得る伝送リソースを示すことに用いられることと、該ネットワーク装置が該第二の時間帯の前に該第一の端末装置へ第六の配置情報を送信し、該第六の配置情報が該Ｍ個のビームグループのそれぞれによって該第二の時間帯で使用され得る伝送リソースを示すことに用いられ、ここで、該第二の時間帯が該第一の時間帯と異なることとを含む。
【００３６】
第二の態様による無線通信方法は、少なくとも２つのビームを用いる通信システムで実行されるものであり、第一の端末装置がネットワーク装置から送信された配置情報を受信し、該配置情報がＭ個のビームグループ内の各ビームの使用し得る伝送リソースを示すことに用いられ、ここで、各ビームグループが該少なくとも２つのビームのうちの少なくとも一つのビームを含み、Ｍ≧１であることと、該第一の端末装置が該配置情報に基づき、該Ｍ個のビームグループ内の各ビームの使用し得る伝送リソースを確定することとを含む。
【００３７】
第二の態様と組み合わせ、第二の態様の第一の実施形態では、いずれかの２つのビームの使用し得る伝送リソースは異なる。
【００３８】
第二の態様及びその上記実施形態と組み合わせ、第二の態様の第二の実施形態では、ビームグループｉの使用し得る伝送リソースはビームグループｉに含まれるビームの関連情報に基づいて確定され、ここで、ｉ∈［１，Ｍ］であり、該ビームグループｉに含まれるビームの関連情報が該ビームグループｉに含まれるビームで伝送されるサービスのサービス要求に対応する。
【００３９】
ネットワーク装置がビームの関連情報に基づいて該ビームの使用し得る伝送リソースを確定することにより、該ビームの使用し得る伝送リソースが該ビームで搬送されるサービスのサービス要求（又は伝送リソースに対する要求）を満たすことができ、それによってマルチビームシステムの実用性とユーザ体験をさらに向上させることができる。
【００４０】
第二の態様及びその上記実施形態と組み合わせ、第二の態様の第三の実施形態では、該ビームグループｉに含まれるビームの関連情報は、ビームグループｉに含まれるビームのカバレッジ内の端末装置の数、ビームグループｉに含まれるビームで伝送される必要があるサービスのサービスタイプ、ビームグループｉに含まれるビームで伝送される必要があるサービスのサービス量のうちの少なくとも一つを含み、ｉ∈［１，Ｍ］である。
【００４１】
第二の態様及びその上記実施形態と組み合わせ、第二の態様の第四の実施形態では、ビームグループｉの使用し得る伝送リソースは該ビームグループｉに含まれるビームの関連情報がプリセット条件を満たしている場合、ビームグループｉに含まれるビームの関連情報に基づいて確定され、ｉ∈［１，Ｍ］である。
【００４２】
ネットワーク装置がビームの関連情報がプリセット条件を満たしていることを確定した後に該ビームの使用し得る伝送リソースの割り当てを行うことにより、該ビームで搬送されるサービスのサービス要求が変化する時に、ビームによって使用される伝送リソースをタイムリーに調整することができ、それによってマルチビームシステムの実用性とユーザ体験をさらに向上させることができる。
【００４３】
第二の態様及びその上記実施形態と組み合わせ、第二の態様の第五の実施形態では、ビームグループｉの使用し得る伝送リソースは周期的に確定され、ｉ∈［１，Ｍ］である。
【００４４】
第二の態様及びその上記実施形態と組み合わせ、第二の態様の第六の実施形態では、該第一の端末装置がネットワーク装置から送信された配置情報を受信することは、該第一の端末装置が、該ネットワーク装置が該第一の端末装置に対する専用シグナリングにより送信した配置情報を受信すること、又は該第一の端末装置が、該ネットワーク装置が物理ブロードキャストチャネル（ＰＢＣＨ）又はシステムブロードキャストメッセージにより該第一の端末装置を含む複数の端末装置に送信した配置情報を受信することを含む。
【００４５】
第二の態様及びその上記実施形態と組み合わせ、第二の態様の第七の実施形態では、該配置情報は具体的に該Ｍ個のビームグループと該Ｍ個の伝送リソースとの一対一マッピング関係を示すことに用いられる。
【００４６】
第二の態様及びその上記実施形態と組み合わせ、第二の態様の第八の実施形態では、該第一の端末装置がネットワーク装置から送信された配置情報を受信することは、該第一の端末装置がネットワーク装置から送信された第一の配置情報を受信し、該第一の配置情報がＱ個の伝送リソースの配置、及びＱ個の伝送リソースとＱ個の第一の識別子の間に有する一対一マッピング関係を示すことに用いられ、Ｑ≧Ｍであり、前記Ｑ個の伝送リソースが前記Ｍ個のビームグループの使用し得る伝送リソースを含むことと、該第一の端末装置がネットワーク装置から送信された第二の配置情報を受信し、該第二の配置情報が該Ｍ個のビームグループ内の各ビームの使用し得る伝送リソースに対応する第一の識別子を含むこととを含む。
【００４７】
ネットワーク装置に複数の伝送リソースの配置を予め伝送させることにより、ビームの使用し得る伝送リソースを変更する必要がある時に、ネットワーク装置は変更された伝送リソースに対応する識別子のみを伝送することができ、それによってビームの使用し得る伝送リソースを変更する時のシグナリングオーバーヘッド及び遅延を減らすことができる。
【００４８】
第二の態様及びその上記実施形態と組み合わせ、第二の態様の第九の実施形態では、該第一の端末装置がネットワーク装置から送信された第一の配置情報を受信することは、該第一の端末装置が、ネットワーク装置が無線リソース制御（ＲＲＣ）シグナリングにより送信した第一の配置情報を受信することを含み、該第一の端末装置がネットワーク装置から送信された第二の配置情報を受信することは、該第一の端末装置が、ネットワーク装置がメディアアクセス制御（ＭＡＣ）制御ユニット（ＣＥ）又はダウンリンク制御情報（ＤＣＩ）により送信した該第二の配置情報を受信することを含む。
【００４９】
第二の態様及びその上記実施形態と組み合わせ、第二の態様の第十の実施形態では、該第一の端末装置がネットワーク装置から送信された第一の配置情報を受信することは、該第一の端末装置が、該ネットワーク装置がＭＡＣ  ＣＥにより送信した第一の配置情報を受信することを含み、該第一の端末装置がネットワーク装置から送信された第二の配置情報を受信することは、該第一の端末装置が、該ネットワーク装置がＤＣＩにより送信した第二の配置情報を受信することを含む。
【００５０】
第二の態様及びその上記実施形態と組み合わせ、第二の態様の第十一の実施形態では、該第一の端末装置がネットワーク装置から送信された配置情報を受信することは、該第一の端末装置がネットワーク装置から送信された第三の配置情報を受信し、該第三の配置情報がＨ個の伝送リソースセットのそれぞれに含まれる伝送リソースの配置、及び該Ｍ個のビームグループを含むＨ個のビームグループと該Ｈ個の伝送リソースセットとの間に有する一対一マッピング関係を示すことに用いられ、ここで、該Ｈ個のビームグループのそれぞれが少なくとも一つのビームを含み、各伝送リソースセットが少なくとも一つの伝送リソースを含み、Ｈ≧Ｍであり、前記Ｈ個の伝送リソースセットが前記Ｍ個のビームグループの使用し得る伝送リソースを含むことと、該第一の端末装置がネットワーク装置から送信された第四の配置情報を受信し、且つ該第四の配置情報が該Ｍ個のビームグループのそれぞれの識別子を含み、且つ該第四の配置情報が、該ビームグループｉに対応する伝送リソースセットにおけるビームグループｉの使用し得る伝送リソースのインデックスを示すことに用いられ、ｉ∈［１，Ｍ］であることとを含む。
【００５１】
ネットワーク装置に複数の伝送リソースセットと複数のビームグループとのマッピング関係を端末装置に予め通知させることにより、且つビームの使用し得る伝送リソースを変更する必要がある時に、ネットワーク装置は変更されたビームの識別子とインデックスのみを伝送することができ、それによって端末装置は該ビームに対応する伝送リソースセットを確定し、そしてその中から該ビームの使用し得る伝送リソースを必要とすることを確定することができ、これによりビームの使用し得る伝送リソースを変更する時のシグナリングオーバーヘッド及び遅延を減らすことができ、伝送リソース使用に対する異なるビームの個性化ニューズを満たすことができる。
【００５２】
第二の態様及びその上記実施形態と組み合わせ、第二の態様の第十二の実施形態では、該第一の端末装置がネットワーク装置から送信された第三の配置情報を受信することは、該第一の端末装置が、該ネットワーク装置がＲＲＣシグナリングにより送信した第三の配置情報を受信することを含み、該第一の端末装置がネットワーク装置から送信された第四の配置情報を受信することは、該第一の端末装置が、ネットワーク装置がＭＡＣ  ＣＥ又はＤＣＩにより送信した第四の配置情報を受信することを含む。
【００５３】
第二の態様及びその上記実施形態と組み合わせ、第二の態様の第十三の実施形態では、該第一の端末装置がネットワーク装置から送信された第三の配置情報を受信することは、該第一の端末装置が、該ネットワーク装置がＭＡＣ  ＣＥにより送信した第三の配置情報を受信することを含み、該第一の端末装置がネットワーク装置から送信された第四の配置情報を受信することは、該第一の端末装置が、該ネットワーク装置がＤＣＩにより送信した第四の配置情報を受信することを含む。
【００５４】
第二の態様及びその上記実施形態と組み合わせ、第二の態様の第十四の実施形態では、該伝送リソースは時間領域伝送リソースを含む。
【００５５】
第二の態様及びその上記実施形態と組み合わせ、第二の態様の第十五の実施形態では、該ネットワーク装置が所在する通信システムが使用できる時間領域リソースは時間領域において少なくとも２つの時間単位に分けられ、及び該配置情報は、各ビームグループの使用し得る伝送リソースに含まれる時間単位の該少なくとも２つの時間単位における位置を具体的に示すことに用いられる。
【００５６】
第二の態様及びその上記実施形態と組み合わせ、第二の態様の第十六の実施形態では、該配置情報は具体的に該少なくとも２つの時間単位のそれぞれがビームグループｉの使用し得る伝送リソースの識別子であるか否かを示すことに用いられ、ｉ∈［１，Ｍ］である。
【００５７】
第二の態様及びその上記実施形態と組み合わせ、第二の態様の第十七の実施形態では、該伝送リソースは周波数領域伝送リソースを含む。
【００５８】
第二の態様及びその上記実施形態と組み合わせ、第二の態様の第十八の実施形態では、該ネットワーク装置が所在する通信システムが使用できる周波数領域リソースは少なくとも２つの周波数領域単位に分けられ、及び該配置情報は、各ビームグループの使用し得る伝送リソースに含まれる周波数領域単位の該少なくとも２つの周波数領域単位における位置を具体的に示すことに用いられる。
【００５９】
第二の態様及びその上記実施形態と組み合わせ、第二の態様の第十九の実施形態では、該配置情報は具体的に該少なくとも２つの周波数領域単位のそれぞれがビームグループｉの使用し得る伝送リソースの識別子であるか否かを示すことに用いられ、ｉ∈［１，Ｍ］である。
【００６０】
第二の態様及びその上記実施形態と組み合わせ、第二の態様の第二十の実施形態では、各ビームグループの使用し得る伝送リソースは通信システムにリザーブされた伝送リソースを含まなく、通信システムにリザーブされた伝送リソースが所定のサービス又は所定のチャネルの伝送のみに用いられる。
【００６１】
第二の態様及びその上記実施形態と組み合わせ、第二の態様の第二十一の実施形態では、該システムにリザーブされた伝送リソースは同期チャネル又は物理ブロードキャストチャネル（ＰＢＣＨ）を搬送するためのリソースを含む。
【００６２】
第二の態様及びその上記実施形態と組み合わせ、第二の態様の第二十二の実施形態では、該Ｍ個のビームグループ内の第一のビームと第二のビームの使用し得る伝送リソースは一部で同じ又は全て同じである。
【００６３】
第二の態様及びその上記実施形態と組み合わせ、第二の態様の第二十三の実施形態では、該Ｍ個のビームグループ内の第一のビームグループの使用し得る伝送リソースは該第一のビームグループを搬送する制御チャネルに使用される第一の伝送リソースを含み、及び／又は該第一のビームグループの使用し得る伝送リソースは該第一のビームグループを搬送するデータチャネルに使用される第二の伝送リソースを含む。
【００６４】
第二の態様及びその上記実施形態と組み合わせ、第二の態様の第二十四の実施形態では、該第一の端末装置がネットワーク装置から送信された配置情報を受信することは、該端末装置が、該ネットワーク装置が第一の時間帯の前に送信した第五の配置情報を受信し、該第五の配置情報が該Ｍ個のビームグループのそれぞれによって第一の時間帯で使用され得る伝送リソースを示すことに用いられることと、該端末装置が、該ネットワーク装置が第二の時間帯の前に送信した第六の配置情報を受信し、該第六の配置情報が該Ｍ個のビームグループのそれぞれによって該第二の時間帯で使用され得る伝送リソースを示すことに用いられ、ここで、該第二の時間帯が該第一の時間帯と異なることとを含む。
【００６５】
第三の態様による無線通信装置は、上記第一の態様及び第一の態様の各実施形態における無線通信方法の各ステップを実行するためのユニットを備える。
【００６６】
第四の態様による無線通信装置は、上記第二の態様及び第二の態様の各実施形態における無線通信方法の各ステップを実行するためのユニットを備える。
【００６７】
第五の態様による無線通信システムは、メモリとプロセッサを備え、該メモリがコンピュータプログラムを記憶するように構成され、該プロセッサがメモリから該コンピュータプログラムを呼びだして実行するように構成され、これによりネットワーク装置が上記第一の態様及びその様々な実施形態のいずれかの無線通信方法を実行する。
【００６８】
第六の態様による無線通信システムは、メモリとプロセッサを備え、該メモリがコンピュータプログラムを記憶するように構成され、該プロセッサがメモリから該コンピュータプログラムを呼びだして実行するように構成され、これにより端末装置が上記第二の態様及びその様々な実施形態のいずれかの無線通信方法を実行する。
【００６９】
第七の態様によるコンピュータプログラム製品は、コンピュータプログラム製品コードを含み、前記コンピュータプログラムコードがネットワーク装置の処理ユニット、送信ユニット又はプロセッサ、送信機によって実行される場合、ネットワーク装置が上記第一の態様及びその様々な実施形態のいずれかの無線通信方法を実行する。
【００７０】
第八の態様によるコンピュータプログラム製品は、コンピュータプログラム製品コードを含み、前記コンピュータプログラムコードが端末装置の受信ユニット、処理ユニット又は受信機、プロセッサによって実行される場合、端末装置が上記第二の態様及びその様々な実施形態のいずれかの無線通信方法を実行する。
【００７１】
第九の態様によるコンピュータ可読記憶媒体は、ネットワーク装置に上記第一の態様及びその様々な実施形態のいずれかの無線通信方法を実行させるためのプログラムを記憶する。
【００７２】
第十の態様によるコンピュータ可読記憶媒体は、端末装置に上記第二の態様及びその様々な実施形態のいずれかの無線通信方法を実行させるためのプログラムを記憶する。
【図面の簡単な説明】
【００７３】
【図１】本発明の実施例による無線通信方法及び装置が適用される通信システムの一例の概略アーキテクチャ図である。
【図２】本発明の実施例による無線通信方法及び装置が適用される通信システムの別の例の概略アーキテクチャ図である。
【図３】本発明の実施例による無線通信方法の概略インタラクション図である。
【図４】本発明の実施例による無線通信装置の一例の概略ブロック図である。
【図５】本発明の実施例による無線通信装置の別の例の概略ブロック図である。
【図６】本発明の実施例による無線通信装置の一例の概略ブロック図である。
【図７】本発明の実施例による無線通信装置の別の例の概略ブロック図である。
【発明を実施するための形態】
【００７４】
本発明の実施例における技術的解決手段をより明確に説明するために，以下に本発明の実施例に必要な図面を簡単に説明するが、明らかに，以下に記載される図面は本発明のいくつかの実施例だけであり，当業者であれば，創造的な労力を要することなく，これらの図面に基づいて他の図面を得ることができる。
【００７５】
以下は本発明の実施例の図面を組み合わせながら、本発明の実施例に係る技術的解決策を明確に、全面的に説明する。
【００７６】
本明細書で使用される「部材」、「モジュール」、「システム」などの用語は、コンピュータと関連するエンティティ、ハードウェア、ファームウェア、ハードウェアとソフトウェアの組み合わせ、ソフトウェア、又は実行中のソフトウェアを表す。例えば、部材はプロセッサで実行されるプロセス、プロセッサ、オブジェクト、実行可能ファイル、実行スレッド、プログラム及び／又はコンピュータであってもよいがこれらに限定されない。図示により、コンピューティングデバイスで実行されているアプリケーションとコンピューティングデバイスは全て部材であってもよい。一つ又は複数の部材がプロセス及び／又は実行スレッドに滞在することができ、部材が１つのコンピュータに位置し、及び／又は２つ以上のコンピュータ間に分散することができる。また、これらの部材は様々なデータ構造を記憶している様々なコンピュータ可読媒体から実行されてもよい。部材は例えば一つ又は複数のデータグループ（例えばローカルシステム、分散型システム及び／又はネットワーク間の別の部材とインタラクションを行う２つの部材からのデータ、例えば信号により他のシステムとインタラクションを行うインターネット）を有する信号に基づいてローカル及び／又は遠隔により通信することができる。
【００７７】
理解すべきものとして、本発明の実施例における技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、高度な長期進化型（Ａｄｖａｎｃｅｄ  ｌｏｎｇ  ｔｅｒｍ  ｅｖｏｌｕｔｉｏｎ：「ＬＴＥ−Ａ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）又は次世代通信システムなどに応用されてもよい。
【００７８】
一般的に、従来の通信システムにサポートされる接続数が限られ、容易に実現されるが、通信技術の進化に伴い、移動通信システムは従来の通信に加えて、例えばデバイスツデバイス（Ｄｅｖｉｃｅ  ｔｏ  Ｄｅｖｉｃｅ：「Ｄ２Ｄ」と略称）通信、マシンツマシン（Ｍａｃｈｉｎｅ  ｔｏ  Ｍａｃｈｉｎｅ：「Ｍ２Ｍ」と略称）通信、マシンタイプ通信（Ｍａｃｈｉｎｅ  Ｔｙｐｅ  Ｃｏｍｍｕｎｉｃａｔｉｏｎ：「ＭＴＣ」と略称）、及び車間（Ｖｅｈｉｃｌｅ  ｔｏ  Ｖｅｈｉｃｌｅ：「Ｖ２Ｖ」と略称）通信をサポートする。
【００７９】
本発明の実施例は端末装置と組み合わせて各実施例を説明する。端末装置はユーザ装置（Ｕｓｅｒ  Ｅｑｕｉｐｍｅｎｔ：「ＵＥ」と略称）、アクセス端末、加入者ユニット、加入者局、移動局、移動ステーション、遠隔局、遠隔端末、移動装置、ユーザ端末、端末、無線通信装置、ユーザエージェント又はユーザ装置と呼ばれてもよい。端末装置が無線ローカルエリアネットワーク（Ｗｉｒｅｌｅｓｓ  Ｌｏｃａｌ  Ａｒｅａ  Ｎｅｔｗｏｒｋｓ：「ＷＬＡＮ」と略称）におけるステーション（ＳＴＡＩＯＮ：「ＳＴ」と略称）であってもよく、セルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）ステーション、パーソナルデジタル処理（Ｐｅｒｓｏｎａｌ  Ｄｉｇｉｔａｌ  Ａｓｓｉｓｔａｎｔ：「ＰＤＡ」と略称）装置、無線通信機能を備えたハンドヘルドデバイス、コンピューティングデバイス又は無線モデムに接続された他の処理装置、車載デバイス、ウェアラブルデバイス及び次世代通信システム、例えば第五世代通信（ｆｉｆｔｈ−ｇｅｎｅｒａｔｉｏｎ：「５Ｇ」と略称）ネットワークにおける端末装置又は将来の進化した公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）ネットワークにおける端末装置などであってもよい。
【００８０】
限定ではなく例として、本発明の実施例では、該端末装置はさらにウェアラブルデバイスであってもよい。ウェアラブルデバイスはウェアラブルスマートデバイスと呼ばれてもよく、ウェアラブル技術を用いて日常着に対してインテリジェントデザイン、開発を行ったウェアラブルデバイスの総称、例えばメガネ、手袋、時計、服飾及び靴などである。ウェアラブルデバイス即ち身体に直接着用され、又はユーザの衣服又はアクセサリーに統合されたポータブル機器である。ウェアラブルデバイスはハードウェアデバイスだけではなく、ソフトウェアサポート、データインタラクション、クラウドインタラクションを通じて強力な機能を実現する。広義のウェアラブルスマートデバイスは、フル機能、大型、スマートフォンに依存せずに完全又は一部の機能を実現できるスマートウォッチ又はスマートメガネなど、及びあるアプリケーション機能のみに注力し、他の装置例えばスマートフォンと組み合わせて使用する必要がある身体特徴検出を行う各種のスマートブレスレット、スマートジュエリーなどを含む。
【００８１】
また、本発明の実施例はネットワーク装置と組み合わせて各実施例を説明する。ネットワーク装置は端末装置と通信するための装置であってもよく、ネットワーク装置は、ＷＬＡＮにおけるアクセスポイント（ＡＣＣＥＳＳ  ＰＯＩＮＴ：「ＡＰ」と略称）、ＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）、又は中継局又はアクセスポイント、又は車載デバイス、ウェアラブルデバイス及び将来の５Ｇネットワークにおけるネットワーク装置又は将来の進化したＰＬＭＮネットワークにおけるネットワーク装置などであってもよい。
【００８２】
また、本発明の実施例では、端末装置はセルで無線通信を行うことができ、該セルがネットワーク装置（例えば基地局）に対応するセルであってもよく、セルがマクロ基地局に属してもよいし、スモールセル（ｓｍａｌｌ  ｃｅｌｌ）に対応する基地局に属してもよく、ここでのスモールセルが都市セル（Ｍｅｔｒｏ  ｃｅｌｌ）、マクロセル（Ｍｉｃｒｏ  ｃｅｌｌ）、ピコセル（ｐｉｃｏ  ｃｅｌｌ）、フェムトセル（Ｆｅｍｔｏ  ｃｅｌｌ）などを含むことができ、これらのスモールセルはカバレッジが小さく、送信電力が低いという特徴を有し、高いレートのデータ伝送サービスの供給に適用する。
【００８３】
また、ＬＴＥシステムにおける搬送波で複数のセルが同時に同じ周波数で動作することができ、いくつかの特殊なシーンにおいて、ＬＴＥシステムにおける搬送波がセルの概念と同等であることを考えることができる。例えば搬送波集約（ＣＡ：Ｃａｒｒｉｅｒ  Ａｇｇｒｅｇａｔｉｏｎ）シーンにおいて、ＵＥにセカンダリ搬送波を配置する場合、セカンダリ搬送波の搬送波インデックスと該セカンダリ搬送波で動作するセカンダリセルのセル識別子（Ｃｅｌｌ  ＩＤ：Ｃｅｌｌ  Ｉｎｄｅｎｔｉｆｙ）が同時に含まれ、この場合、搬送波がセルの概念と同等であることを考えることができ、例えばＵＥに対して一つの搬送波へのアクセスが一つのセルへのアクセスと同等である。
【００８４】
本発明の実施例による方法及び装置は、端末装置又はネットワーク装置に応用されてもよく、該端末装置又はネットワーク装置がハードウェア層、ハードウェア層で実行されている操作システム層、及び操作システム層で実行されているアプリケーション層を含む。該ハードウェア層は、中央処理装置（Ｃｅｎｔｒａｌ  Ｐｒｏｃｅｓｓｉｎｇ  Ｕｎｉｔ：「ＣＰＵ」と略称）、メモリ管理ユニット（Ｍｅｍｏｒｙ  Ｍａｎａｇｅｍｅｎｔ  Ｕｎｉｔ：「ＭＭＵ」と略称）及びメモリ（メインメモリとも呼ばれる）などのハードウェアを含む。該操作システムはプロセス（Ｐｒｏｃｅｓｓ）によりサービス処理を実現するいずれかの一つ又は複数のコンピュータ操作システム、例えばＬｉｎｕｘ操作システム、Ｕｎｉｘ操作システム、Ａｎｄｒｏｉｄ操作システム、ｉＯＳ操作システム又はｗｉｎｄｏｗｓ操作システムなどであってもよい。該アプリケーション層はブラウザ、アドレス帳、ワープロソフト、インスタントメッセージングソフトなどのアプリケーションを含む。そして、本発明の実施例では、無線通信方法の実行本体の具体的な構造は、本発明の実施例において特に限定されなく、本発明の実施例による無線通信方法のためのコードが記録されたプログラムを実行することにより、本発明の実施例による無線通信方法で通信することさえできればよく、例えば、本発明の実施例による無線通信方法の実行本体は端末装置又はネットワーク装置であってもよく、又は、端末装置又はネットワーク装置における、プログラムを呼び出して実行することができる機能モジュールであってもよい。
【００８５】
また、本発明の実施例の各態様又は特徴は方法、装置又は標準的なプログラミング又はエンジニアリング技術を用いた製品として実現されてもよい。本出願で使用される用語「製品」はいかなるコンピュータ可読デバイス、キャリア又はメディアからアクセスすることができるコンピュータプログラムを包含する。例えば、コンピュータ可読媒体は、磁気メモリデバイス（例えば、ハードディスク、フロッピーディスク又は磁気テープなど）、光ディスク（例えば、コンパクトディスク（Ｃｏｍｐａｃｔ  Ｄｉｓｃ：「ＣＤ」と略称）、デジタル多用途ディスク（Ｄｉｇｉｔａｌ  Ｖｅｒｓａｔｉｌｅ  Ｄｉｓｃ：「ＤＶＤ」と略称）など）、スマートカード及びフラッシュメモリデバイス（例えば消去可能プログラマブル読み出し専用メモリ（Ｅｒａｓａｂｌｅ  Ｐｒｏｇｒａｍｍａｂｌｅ  Ｒｅａｄ−Ｏｎｌｙ  Ｍｅｍｏｒｙ：「ＥＰＲＯＭ」と略称）、カード、スティック、またはキードライバなど）を含むことができる。また、本明細書で記載される様々な記憶媒体は、情報を記憶するための一つ又は複数の装置及び／又は他の機械可読媒体を表すことができる。用語「機械可読媒体」は無線チャネルと命令及び／又はデータを包含又は含むことができる各種の他の媒体を含むことができるがこれらに限定されない。
【００８６】
図１は本発明の実施例が適用される無線通信システムの概略図である。図１に示すように、該通信システム１００はネットワーク装置１０２を備え、ネットワーク装置１０２が一つのアンテナ又は複数のアンテナ例えばアンテナ１０４、１０６、１０８、１１０、１１２と１１４を含むことができる。また、ネットワーク装置１０２は送信機チェーン及び受信機チェーンを追加的に含むことができ、当業者は、それらがいずれも信号送信及び受信と関連する複数の部材（例えばプロセッサ、変調器、マルチプレクサ、復調器、デマルチプレクサ又はアンテナなど）を含むことができることを理解できる。
【００８７】
ネットワーク装置１０２は複数の端末装置（例えば端末装置１１６と端末装置１２２）通信することができる。しかしながら、ネットワーク装置１０２が端末装置１１６又は１２２と類似するいずれかの数の端末装置と通信することができることを理解できる。端末装置１１６及び１２２は例えばセルラー電話、スマートフォン、ポータブルコンピュータ、ハンドヘルド通信装置、ハンドヘルドコンピューティング装置、衛星ラジオ装置、全地球測位システム、ＰＤＡ及び／又は無線通信システム１００で通信するための任意の他の適切な装置であってもよい。
【００８８】
図１に示すように、端末装置１１６はアンテナ１１２及び１１４と通信し、ここでアンテナ１１２及び１１４が順方向リンク（ダウンリンクリンクとも呼ばれる）１１８を介して端末装置１１６へ情報を送信し、そして逆方向リンク（アップリンクリンクとも呼ばれる）１２０を介して端末装置１１６から情報を受信する。また、端末装置１２２はアンテナ１０４及び１０６と通信し、ここでアンテナ１０４及び１０６が順方向リンク１２４を介して端末装置１２２へ情報を送信し、そして逆方向リンク１２６を介して端末装置１２２から情報を受信する。
【００８９】
例えば、周波数分割複信（Ｆｒｅｑｕｅｎｃｙ  Ｄｉｖｉｓｉｏｎ  Ｄｕｐｌｅｘ：「ＦＤＤ」と略称）システムでは、例えば、順方向リンク１１８は逆方向リンク１２０と異なる周波数帯域を使用することができ、順方向リンク１２４は逆方向リンク１２６と異なる周波数帯域を使用することができる。
【００９０】
また、例えば、時分割複信（Ｔｉｍｅ  Ｄｉｖｉｓｉｏｎ  Ｄｕｐｌｅｘ：「ＴＤＤ」と略称）システムと全二重（Ｆｕｌｌ  Ｄｕｐｌｅｘ）システムでは、順方向リンク１１８と逆方向リンク１２０は共通周波数帯域を使用することができ、順方向リンク１２４と逆方向リンク１２６は共通周波数帯域を使用することができる。
【００９１】
通信するように設計される各アンテナ（又は複数のアンテナからなるアンテナグループ）及び／又はエリアはネットワーク装置１０２のセクタと呼ばれる。例えば、アンテナグループがネットワーク装置１０２のカバレッジエリアのセクタにおける端末装置と通信するように設計されてもよい。ネットワーク装置は単一のアンテナを介してそれに対応するセクタの全ての端末装置へ信号を送信することができる。ネットワーク装置１０２が順方向リンク１１８及び１２４を介してそれぞれ端末装置１１６及び１１２と通信する過程では、ネットワーク装置１０２の送信アンテナはビームフォーミングにより順方向リンク１１８及び１２４の信号対雑音比を改善することもできる。また、ネットワーク装置が単一のアンテナを介してそれの全ての端末装置へ信号を送信するという方式と比較すると、ネットワーク装置１０２がビームフォーミングにより関連するカバレッジエリアにおけるランダムに分散する端末装置１１６及び１２２へ信号を送信する時に、隣接セルにおける移動端末装置は少ない干渉を受ける。
【００９２】
所定の時間で、ネットワーク装置１０２、端末装置１１６又は端末装置１２２は、無線通信送信装置及び／又は無線通信受信装置であってもよい。データを送信する場合、無線通信送信装置はデータを符号化して伝送することができる。具体的には、無線通信送信装置はチャネルを介して無線通信受信装置に送信される一定数のデータビットを取得（例えば生成、他の通信装置からの受信、又はメモリへの保存など）することができる。このデータビットはデータの伝送ブロック（又は複数の伝送ブロック）に含まれてもよく、伝送ブロックがセグメント化されて複数のコードブロックを生成することができる
また、該通信システム１００はＰＬＭＮネットワーク又はＤ２Ｄネットワーク又は他のネットワークであってもよく、図１は例の概略図であるだけであるが、ネットワークにおいて他のネットワーク装置が含まれてもよく、図１に示されない。
【００９３】
本発明の実施例では、ネットワーク装置は一つ又は複数のアンテナにより、例えば、アンテナの方向角（水平方向の角度）とダウンチルト角（垂直方向の角度）を調整することにより、複数のビーム（Ｂｅａｍ）を形成することができ、ここで、該複数のビームのそれぞれがカバレッジを有し、例えば、図２に示すように、ネットワーク装置に使用される複数のビームのうちの一つのビーム（以下に理解及び区分を容易にするために、ビーム＃αと表記する）のカバレッジが範囲＃αであり、且つ、ネットワーク装置に使用される複数のビームのうちのもう一つのビーム（以下に理解及び区分を容易にするために、ビーム＃βと表記する）のカバレッジが範囲＃βであると仮定する場合、本発明の実施例において、例えば、該範囲＃αが範囲＃βと異なってもよく、又は範囲＃αと範囲＃βのカバレッジが重ならない。
【００９４】
また、例えば、該範囲＃αと範囲＃βが一部で同じであってもよく、又は、範囲＃αと範囲＃βのカバレッジが一部で重なる。
【００９５】
また、例えば、該範囲＃αと範囲＃βが完全に同じであってもよく、又は、範囲＃αと範囲＃βのカバレッジが完全に重なる。
【００９６】
そして、本発明の実施例では、範囲＃αのサイズが範囲＃βのサイズより大きくてもよく、又は範囲＃αのサイズが範囲＃βのサイズより小さくてもよく、又は、範囲＃αのサイズが範囲＃βのサイズに等しく、本発明において特に限定されない。
【００９７】
本発明の実施例では、端末装置は一つのビームを使用して通信してもよいし、複数のビームを使用して通信してもよく、本発明において特に限定されない。本発明の実施例では、一つのビームグループは同一の端末装置によって（例えば、同一の時間帯で）使用される各ビームを含むことができる。
【００９８】
そして、本発明の実施例では、ネットワーク装置によって使用される複数のビームのうちの一つ又は複数のビームの使用し得る伝送リソースは同じであってもよく、又は、ネットワーク装置によって使用される複数のビームのいずれかの２つのビームの使用し得る伝送リソースは異なってもよく、本発明において特に限定されない。この場合、本発明の実施例では、一つのビームグループは（例えば、同一の時間帯で）使用され得る伝送リソースと同じ各ビームを含むことができる。
【００９９】
本発明の実施例では、端末装置はあるビームグループ（具体的には、該ビームグループの一つ又は複数のビーム）を使用してサービス伝送を行う前に、該ビームグループの使用し得る伝送リソースを知る必要がある。
【０１００】
本発明の実施例では、「ビームグループの使用し得る伝送リソース」は該伝送リソースが該ビームグループに割り当てられ、該ビームグループが該伝送リソースにおける全てのリソースを選択して使用することができ、該伝送リソースにおける一部のリソースを選択して使用することもできることを指す。
【０１０１】
そして、本発明の実施例では、各端末装置が使用されるビームの位置するビームグループの使用し得る伝送リソースを知ることを完了するプロセスは類似であり、以下に理解及び説明を容易にするために、端末装置＃Ａ（即ち第一の端末装置の一例）が使用されるビーム＃１〜ビーム＃Ｎの位置するビーム＃１〜ビーム＃Ｍの使用し得る伝送リソースを知るプロセスを例として説明する。
【０１０２】
ここで、Ｎ≧１、Ｍ≧１である。本発明の実施例では、該ビーム＃１〜ビーム＃Ｎのうちの複数（２つ又は２つ以上）のビームは同一のビームに属してもよく（即ちＮ＜Ｍ）、又は、該ビーム＃１〜ビーム＃Ｎのいずれかの２つのビームが属するビームグループは異なる（即ちＮ＝Ｍ）。
【０１０３】
図３にネットワーク装置と端末装置＃ＡがＭ個のビームグループ（ビームグループ＃１〜ビームグループ＃Ｍ）を確定するインタラクションプロセスが示される。
【０１０４】
図３に示すように、Ｓ２１０において、ネットワーク装置は該Ｍ個のビームグループ内の各ビームの使用し得る伝送リソースを確定することができる。
【０１０５】
ここで、各ビームグループの伝送リソースの確定方法とプロセスは類似するが、ここで理解及び説明を容易にするために、以下にビームグループ＃１の伝送リソースを確定する方法とプロセスを例として説明する。
【０１０６】
まず、ネットワーク装置がビームグループ＃１の伝送リソースを確定して送信するタイミングに対して説明する。
【０１０７】
例えば、本発明の実施例では、ネットワーク装置はビームグループ＃１の伝送リソースを周期的に確定して送信することができる。即ち、本発明の実施例では、通信システムに使用される時間領域リソースは複数の周期に分けられてもよい。ネットワーク装置は各周期内のある時点（例えば周期の開始時点）でビームグループ＃１の伝送リソースを確定して送信することができる。
【０１０８】
また、例えば、本発明の実施例では、ネットワーク装置はビームグループ＃１の伝送リソースをトリガして確定し且つ送信することができる。即ち、本発明の実施例では、ネットワーク装置はビームグループ＃１と関連する条件を満たしている場合、ビームグループ＃１の伝送リソースを確定して送信することができる。
【０１０９】
限定ではなく例として、本発明の実施例では、ビームグループ＃１と関連する条件は該ビームグループ＃１の一つ又は複数のビームで搬送されるサービスの関連要求に応じて確定されてもよい。
【０１１０】
それによって、該ビームグループ＃１の一つ又は複数のビームで搬送されるサービスの関連要求が変化した後（例えば該ビームグループ＃１の一つ又は複数のビームで搬送されるサービスの関連要求の変化が所定の変化範囲以上である）、ネットワーク装置はビームグループ＃１の伝送リソースを再度確定して送信する必要があることを確定することができる。
【０１１１】
限定ではなく例として、本発明の実施例では、該ビームグループ＃１の一つ又は複数のビームで搬送されるサービスの関連要求は該ビームグループ＃１の一つ又は複数のビームの関連情報に基づいて確定されてもよい。
【０１１２】
ここで、該関連情報は以下の一つ又は複数のパラメータを含む。
【０１１３】
パラメータ＃１：ビームグループ＃１に含まれる一つ又は複数のビームのカバレッジ内の端末装置の数。
【０１１４】
例えば、ビームグループ＃１に含まれる一つ又は複数のビームのカバレッジ内の端末装置の数が増加する場合、ネットワーク装置はビームグループ＃１の伝送リソースを再度確定して送信する必要があることを確定することができる。
【０１１５】
具体的には、ビームグループ＃１に含まれる一つ又は複数のビームのカバレッジ内の端末装置の数が増加して所定の数閾値＃Ａを超える場合、ネットワーク装置はビームグループ＃１の伝送リソースを再度確定して送信する必要があることを確定することができる。
【０１１６】
又は、ビームグループ＃１に含まれる一つ又は複数のビームのカバレッジ内の端末装置の数の増加値Δ＃Ａが所定の数閾値＃Ｂ以上である場合、ネットワーク装置はビームグループ＃１の伝送リソースを再度確定して送信する必要があることを確定することができる。
【０１１７】
また、例えば、ビームグループ＃１に含まれる一つ又は複数のビームのカバレッジ内の端末装置の数が減少する場合、ネットワーク装置はビームグループ＃１の伝送リソースを再度確定して送信する必要があることを確定することができる。
【０１１８】
具体的には、ビームグループ＃１に含まれる一つ又は複数のビームのカバレッジ内の端末装置の数が減少して所定の数閾値＃Ｃ未満である場合、ネットワーク装置はビームグループ＃１の伝送リソースを再度確定して送信する必要があることを確定することができる。
【０１１９】
又は、ビームグループ＃１に含まれる一つ又は複数のビームのカバレッジ内の端末装置の数の減少値Δ＃Ｂが所定の数閾値＃Ｄ以上である場合、ネットワーク装置はビームグループ＃１の伝送リソースを再度確定して送信する必要があることを確定することができる。
【０１２０】
パラメータ＃２：ビームグループ＃１に含まれるビームで伝送される必要があるサービスのサービス量。
【０１２１】
例えば、ビームグループ＃１に含まれるビームで伝送される必要があるサービスのサービス量が増加する場合、ネットワーク装置はビームグループ＃１の伝送リソースを再度確定して送信する必要があることを確定することができる。
【０１２２】
具体的には、ビームグループ＃１に含まれるビームで伝送される必要があるサービスのサービス量が増加して所定の数閾値＃Ｅを超える場合、ネットワーク装置はビームグループ＃１の伝送リソースを再度確定して送信する必要があることを確定することができる。
【０１２３】
又は、ビームグループ＃１に含まれるビームで伝送される必要があるサービスのサービス量の増加値Δ＃Ｃが所定の数閾値＃Ｆ以上である場合、ネットワーク装置はビームグループ＃１の伝送リソースを再度確定して送信する必要があることを確定することができる。
【０１２４】
また、例えば、ビームグループ＃１に含まれるビームで伝送される必要があるサービスのサービス量が減少する場合、ネットワーク装置はビームグループ＃１の伝送リソースを再度確定して送信する必要があることを確定することができる。
【０１２５】
具体的には、ビームグループ＃１に含まれるビームで伝送される必要があるサービスのサービス量が減少して所定の数閾値＃Ｇ未満である場合、ネットワーク装置はビームグループ＃１の伝送リソースを再度確定して送信する必要があることを確定することができる。
【０１２６】
又は、ビームグループ＃１に含まれるビームで伝送される必要があるサービスのサービス量の減少値Δ＃Ｄが所定の数閾値＃Ｈ以上である場合、ネットワーク装置はビームグループ＃１の伝送リソースを再度確定して送信する必要があることを確定することができる。
【０１２７】
パラメータ＃３：ビームグループ＃１に含まれるビームで伝送される必要があるサービスのサービスタイプ。
【０１２８】
例えば、ビームグループ＃ｉに含まれる一つ又は複数のビームで伝送される必要があるサービスのサービスタイプが変更する場合、ネットワーク装置はビームグループ＃１の伝送リソースを再度確定して送信する必要があることを確定することができる。
【０１２９】
理解すべきものとして、以上に挙げられた、ネットワーク装置にあるビームグループの使用し得る伝送リソースを再度確定する必要があるか否かを確定させるためのパラメータが例示だけであるが、本発明はこれに限定されず、ネットワーク装置にあるビームグループの使用し得る伝送リソースを再度確定する必要があるか否かを確定させることができる他のパラメータはいずれも本発明の保護範囲にある。
【０１３０】
以下にネットワーク装置がビームグループ＃１の伝送リソースを確定する方法に対して詳細に説明する。
【０１３１】
限定ではなく例として、本発明の実施例では、ネットワーク装置はビームグループ＃１の一つ又は複数のビームの関連情報例えば伝送リソースのサイズ、又はシステムによって提供された通信リソースにおける伝送リソースの位置に基づいてビームグループ＃１の伝送リソースを確定することができる。
【０１３２】
例えば、ネットワーク装置はビームグループ＃１の一つ又は複数のビームの関連情報に基づき、ビームグループ＃１の伝送リソースを増加又は減少することができる。
【０１３３】
限定ではなく例として、本発明の実施例では、上記関連情報として、以上のパラメータ＃１〜パラメータ＃３を挙げることができる。
【０１３４】
具体的には、ビームグループ＃１の一つ又は複数のビームの関連情報がビームグループ＃１に含まれる一つ又は複数のビームのカバレッジ内の端末装置の数＃α（即ちパラメータ＃１）である場合、ネットワーク装置は該数＃αに基づき、ビームグループ＃１に含まれる一つ又は複数のビームのカバレッジ内の全ての端末装置のサービスアクセス要求を満たしている伝送リソース（例えば時間領域リソース又は周波数領域リソース）のサイズを推定し、そして推定された伝送リソースのサイズに基づき、ビームグループ＃１の伝送リソースのサイズを確定することができ、例えば、ネットワーク装置はビームグループ＃１の伝送リソースのサイズを推定された伝送リソースのサイズに近くすることができ、具体的には、ネットワーク装置はビームグループ＃１の伝送リソースのサイズと推定された伝送リソースのサイズとの差をプリセットの差閾値以下にすることができる。
【０１３５】
ビームグループ＃１の一つ又は複数のビームの関連情報がビームグループ＃１に含まれる一つ又は複数のビームで伝送されるサービスのサービス量＃β（即ちパラメータ＃２）である場合、ネットワーク装置は該サービス量＃βに基づき、ビームグループ＃１に含まれる一つ又は複数のビームで伝送されるサービスのサービス量＃βの要求を満たしている伝送リソース（例えば時間領域リソース又は周波数領域リソース）のサイズを推定し、そして推定された伝送リソースのサイズに基づき、ビームグループ＃１の伝送リソースのサイズを確定することができ、例えば、ネットワーク装置はビームグループ＃１の伝送リソースのサイズを推定された伝送リソースのサイズに近づけることができ、具体的には、ネットワーク装置はビームグループ＃１の伝送リソースのサイズと推定された伝送リソースのサイズとの差をプリセットの差閾値以下にすることができる。
【０１３６】
ビームグループ＃１の一つ又は複数のビームの関連情報がビームグループ＃１に含まれる一つ又は複数のビームで伝送されるサービスのサービスタイプ＃γ（即ちパラメータ＃３）である場合、ネットワーク装置はサービスタイプ＃γに基づき、ビームグループ＃１に含まれる一つ又は複数のビームで伝送されるサービスのサービスタイプ＃γの要求を満たしている伝送リソース（例えば時間領域リソース又は周波数領域リソース）のサイズを推定し、そして推定された伝送リソースのサイズに基づき、ビームグループ＃１の伝送リソースのサイズを確定することができ、例えば、ネットワーク装置はビームグループ＃１の伝送リソースのサイズを推定された伝送リソースのサイズに近くすることができ、具体的には、ネットワーク装置はビームグループ＃１の伝送リソースのサイズと推定された伝送リソースのサイズとの差をプリセットの差閾値以下にすることができる。
【０１３７】
理解すべきものとして、以上に挙げられた、ネットワーク装置にあるビームグループの使用し得る伝送リソースを確定させるためのパラメータが例示だけであるが、本発明はこれに限定されず、ネットワーク装置にあるビームグループの使用し得る伝送リソースを確定させることができる他のパラメータはいずれも本発明の保護範囲にある。
【０１３８】
そして、以上に挙げられた、ネットワーク装置にあるビームグループの使用し得る伝送リソースを確定させるためのパラメータの使用方法が例示だけであるが、本発明はこれに限定されず、ネットワーク装置が上記パラメータに基づいてあるビームグループの使用し得る伝送リソースを確定することを可能にする他のパラメータはいずれも本発明の保護範囲にある。例えば、ネットワーク装置はさらに上記の一つ又は複数のパラメータに基づいてチャネル品質に対するビームグループ＃１で搬送されるサービスの要求を確定し、そして該チャネル品質の要求に応じて、ビームグループ＃１の伝送リソース（例えば伝送リソースに含まれる周波数領域リソースの位置、又は、伝送リソースに含まれる時間領域リソースの位置）を確定することができる。
【０１３９】
上述したように、Ｓ２１０において、ネットワーク装置は端末装置＃Ａに使用されるビームグループ＃１の伝送リソースを確定することができ、以下に理解及び説明を容易にするために、該伝送リソースを伝送リソース＃Ａとして表記する。
【０１４０】
Ｓ２２０において、ネットワーク装置は、該ネットワーク装置が上記のように確定したビームグループ＃１の伝送リソース＃Ａを示すための配置情報を端末装置＃Ａに送信する。
【０１４１】
限定ではなく例として、本発明の実施例では、該配置情報は伝送リソース＃Ａの配置を示すことに用いられてもよい。
【０１４２】
例えば、本発明の実施例では、伝送リソース＃Ａは周波数領域リソース＃Ａ−１を含むことができる。
【０１４３】
この場合、配置情報は該周波数領域リソース＃Ａ−１のサイズを示すことに用いられてもよく、及び／又は
配置情報はさらに通信システムに提供された周波数領域リソースにおける該周波数領域リソース＃Ａ−１の位置を示すことに用いられてもよい。
【０１４４】
限定ではなく例として、本発明の実施例では、通信システムに提供された周波数領域リソースは周波数領域において複数の周波数領域単位に分けられてもよく、且つ、該周波数領域単位として、例えばサブ搬送波などを挙げることができる。それによって、該配置情報は各周波数領域単位（例えばサブ搬送波）が該周波数領域リソース＃Ａ−１に属するか否かを示すための識別子、例えば、周波数領域におけるビットマップ（Ｂｉｔ  Ｍａｐ）であってもよい。
【０１４５】
また、例えば、本発明の実施例では、伝送リソース＃Ａは時間領域リソース＃Ａ−２を含むことができる。
【０１４６】
この場合、配置情報は該時間領域リソース＃Ａ−２のサイズを示すことに用いられてもよく、及び／又は
配置情報はさらに通信システムに提供された時間領域リソースにおける該時間領域リソース＃Ａ−２の位置を示すことに用いられてもよい。
【０１４７】
限定ではなく例として、本発明の実施例では、通信システムに提供された時間領域リソースは周波数領域において複数の時間単位に分けられてもよく、且つ、該周波数領域単位として、例えばシンボル、スロット、伝送時間帯（Ｔｒａｎｓｍｉｓｓｉｏｎ  Ｔｉｍｅ  Ｉｎｔｅｒｖａｌ：「ＴＴＩ」と略称）又はサブフレームなどを挙げることができる。それによって、該配置情報は各時間領域単位が該周波数領域リソース＃Ａ−１に属するか否かを示すための識別子、例えば、時間領域におけるビットマップ（Ｂｉｔ  Ｍａｐ）であってもよい。
【０１４８】
本発明の実施例では、上記のＭ個のビームグループは上記ビームグループ＃１以外、他のビームグループを含む可能性があり、この場合、該配置情報はさらにビームグループ＃１と伝送リソース＃Ａとのマッピング関係（以下に理解及び区分を容易にするために、マッピング関係＃０と表記する）を示すことに用いられてもよく、これにより、端末装置は該マッピング関係＃０に基づき、該伝送リソースＡがビームグループ＃１の使用し得る伝送リソースであることを確定することができる。
【０１４９】
本発明の実施例では、ネットワーク装置は物理ブロードキャストチャネル（ＰＢＣＨ）又はシステムメッセージ（ｓｙｓｔｅｍ  ｉｎｆｏｒｍａｔｉｏｎ）により端末装置＃Ａを含む複数の端末装置へ該配置情報をブロードキャストで送信することができる。
【０１５０】
又は、本発明の実施例では、ネットワーク装置は該端末装置＃Ａに対する専用シグナリング、例えば無線リソース制御（Ｒａｄｉｏ  Ｒｅｓｏｕｒｃｅ  Ｃｏｎｔｒｏｌ：「ＲＲＣ」と略称）により、端末装置＃Ａへ該配置情報を送信することもできる。
【０１５１】
本発明の実施例では、該配置情報は一度送信されてもよく、即ち、該配置情報は伝送リソースＡの配置、及びビームグループ＃１と伝送リソース＃Ａとのマッピング関係（即ちマッピング関係＃０）を示すことに用いられてもよい。
【０１５２】
又は、本発明の実施例では、該配置情報は異なる時間帯で複数回（少なくとも２回）送信されてもよく、以下に該状況について詳細に説明する。
【０１５３】
方式１
本発明の実施例では、ネットワーク装置は例えば端末装置がビームに基づいて通信する前に、例えば端末装置が該ネットワーク装置にアクセスする時に、該端末装置へ配置情報＃Ａ（即ち第一の配置情報の一例）を送信することができ、該配置情報＃Ａが該伝送リソース＃Ａを含む複数の伝送リソースの配置を示すことに用いられてもよい。
【０１５４】
これにより、端末装置は該配置情報＃Ａに基づいて該伝送リソース＃Ａを含む複数（例えばＱ個、Ｑ≧Ｍ）の伝送リソースの配置、例えば時間領域における各伝送リソースのサイズ及び／又は位置、及び／又は、周波数領域における各伝送リソースサイズ及び／又は位置を知ることができる。
【０１５５】
ここで、本発明の実施例では、該配置情報＃Ａは一つ又は複数であってもよく、本発明で特にされず、且つ、該配置情報＃Ａが複数である場合、各配置情報＃Ａは一つ又は複数の伝送リソースの配置を示すことに用いられてもよく、且つ、該複数の配置情報＃Ａは同時に送信されてもよく、同時に送信されなくてもよく、本発明で特に限定されない。
【０１５６】
ネットワーク装置が、該ビームグループ＃１が伝送リソース＃Ａを使用する必要があることを確定した場合、ネットワーク装置は端末装置へ該伝送リソース＃Ａを示すための配置情報＃Ｂ（即ち第二の配置情報の一例）を送信することができる。これにより、端末装置は該配置情報＃Ｂに基づいて該伝送リソース＃Ａがビームグループ＃１の使用し得る伝送リソースであることを確定し、そして配置情報＃Ａに基づいて該伝送リソース＃Ａの配置を確定することができる。
【０１５７】
本発明の実施例では、Ｑ個の伝送リソースはＱ個のリソース識別子（即ち第一の識別子の一例）と一対一で対応することができる。
【０１５８】
具体的には、本発明の実施例では、Ｍ個のビームグループが上記ビームグループ＃１に加えて他のビームグループを含む場合、該配置情報＃Ｂはさらに該伝送リソース＃Ａとビームグループ＃１とのマッピング関係を示すことに用いられてもよい。
【０１５９】
限定ではなく例として、本発明の実施例では、該配置情報＃Ａはさらに複数の伝送リソースのそれぞれのリソース識別子（即ち第一の識別子の一例）を示すことに用いられてもよく、即ち、一つの伝送リソースの識別子は該伝送リソースを唯一に示すことに用いられてもよい。即ち、限定ではなく例として、該配置情報＃Ａは、
［ｒｅｓｏｕｒｃｅ＿ｓｅｔ＿１、ｒｅｓｏｕｒｃｅ＿ｓｅｔ＿２、…、ｒｅｓｏｕｒｃｅ＿ｓｅｔ＿Ｋ］を含むことができ、ここで、ｒｅｓｏｕｒｃｅ＿ｓｅｔ＿ｋが伝送リソース＃ｋの識別子であり、（ｋ＝１、２、…、Ｋ）であり、ここで、Ｋが上記の複数の伝送リソースの数である。
【０１６０】
この場合、該配置情報＃Ｂは伝送リソース＃Ａの識別子を含むことができ、又は、該配置情報＃Ｂはさらに伝送リソース＃Ａの識別子とビームグループ＃１の識別子とのマッピング関係を含むことができる。
【０１６１】
限定ではなく例として、該配置情報＃Ｂは［ｒｅｓｏｕｒｃｅ＿ｓｅｔ＿１、ｒｅｓｏｕｒｃｅ＿ｓｅｔ＿２、…、ｒｅｓｏｕｒｃｅ＿ｓｅｔ＿Ｋ］における伝送リソース＃Ａに対応するリソース識別子であってもよい。
【０１６２】
以下に該配置情報＃Ａと配置情報＃Ｂの伝送方式について詳細に説明する。
【０１６３】
例えば、本発明の実施例では、ネットワーク装置は端末装置＃Ａに対するＲＲＣシグナリングにより、端末装置＃Ａへ該配置情報＃Ａを送信することができる。
【０１６４】
そして、ネットワーク装置は端末装置＃Ａに対するメディアアクセス制御（Ｍｅｄｉａ  Ａｃｃｅｓｓ  Ｃｏｎｔｒｏｌ：「ＭＡＣ」と略称）制御ユニット（Ｃｏｎｔｒｏｌ  Ｅｌｅｍｅｎｔ：「ＣＥ」と略称）により、端末装置＃Ａへ該配置情報＃Ｂを送信することができる。
【０１６５】
又は、ネットワーク装置は端末装置＃Ａに対するダウンリンク制御情報（Ｄｏｗｎｌｉｎｋ  Ｃｏｎｔｒｏｌ  Ｉｎｆｏｒｍａｔｉｏｎ：「ＤＣＩ」と略称）により、端末装置＃Ａへ該配置情報＃Ｂを送信することができる。
【０１６６】
また、例えば、本発明の実施例では、ネットワーク装置は端末装置＃Ａに対するＭＡＣ  ＣＥにより、端末装置＃Ａへ該配置情報＃Ａを送信することができる。
【０１６７】
そして、ネットワーク装置は端末装置＃Ａに対するＤＣＩにより、端末装置＃Ａへ該配置情報＃Ｂを送信することができる。
【０１６８】
方式２
本発明の実施例では、ネットワーク装置は例えば、端末装置がビームに基づいて通信する前に、例えば端末装置が該ネットワーク装置にアクセスする時に、該ネットワーク装置へ配置情報＃Ｃ（即ち第三の配置情報の一例）を送信することができ、該配置情報＃Ｃが複数（即ちＨ個、Ｈ≧Ｍ）の伝送リソースセットのそれぞれに含まれる伝送リソースの配置（該伝送リソースのサイズ及び位置）、且つ、複数のビームグループと複数の伝送リソースセットとのマッピング関係を示すことに用いられてもよく、且つ、各伝送リソースセットに含まれる伝送リソースが該伝送リソースセットにおいて該伝送リソースを唯一に示すためのインデックを有することができ、ここで、各伝送リソースセットが少なくとも一つの伝送リソースを含むことができ、該複数のビームグループが上記ビームグループ＃１を含むことができ、上記伝送リソース＃Ａが複数の伝送リソースセットの少なくとも一つの伝送リソースセットに属する。
【０１６９】
これにより、端末装置は該配置情報＃Ｃに基づいて該伝送リソース＃Ａを含む複数の伝送リソースの配置、例えば時間領域における各伝送リソースのサイズ及び／又は位置、及び／又は、周波数領域における各伝送リソースサイズ及び／又は位置を知ることができる。
【０１７０】
ここで、本発明の実施例では、該配置情報＃Ｃは一つ又は複数であってもよく、本発明で特にされず、且つ、該配置情報＃Ｃが複数である場合、各配置情報＃Ｃは一つ又は複数の伝送リソースの配置を示すことに用いられてもよく、且つ、該複数の配置情報＃Ｃは同時に送信されてもよく、同時に送信されなくてもよく、本発明で特に限定されない。
【０１７１】
限定ではなく例として、該配置情報＃Ｃは、
［Ｂｅａｍグループ＿ｉ、ｒｅｓｏｕｒｃｅ＿ｓｅｔ＿ｉ＿１、ｒｅｓｏｕｒｃｅ＿ｓｅｔ＿ｉ＿２、…、ｒｅｓｏｕｒｃｅ＿ｓｅｔ＿ｉ＿ｗ］を含むことができ、ここで、ｒｅｓｏｕｒｃｅ＿ｓｅｔ＿ｗが伝送リソース＃ｗの識別子（ｗ＝１、２、．．．、Ｗ）であり、ＷがＢｅａｍグループ＿ｉに対応する伝送リソースセットに含まれる伝送リソースの数であり、Ｂｅａｍグループ＿ｉがビームグループ＃ｉの識別子であり、ｉ∈［１，Ｍ］である。
【０１７２】
ネットワーク装置が、該ビームグループ＃１が伝送リソース＃Ａを使用する必要があることを確定した場合、ネットワーク装置は端末装置へ該伝送リソース＃Ａを示すための配置情報＃Ｄを送信することができる。これにより、端末装置は該配置情報＃Ｄに基づいて該伝送リソース＃Ａがビームグループ＃１の使用し得る伝送リソースであることを確定し、そして配置情報＃Ｃに基づいて該伝送リソース＃Ａの配置を確定することができる。
【０１７３】
この場合、該配置情報＃Ｄはビームグループ＃１の識別子、該ビームグループ＃１に対応する伝送リソースセットにおける伝送リソース＃Ａのインデックスを含むことができる。
【０１７４】
以下に該配置情報＃Ｃと配置情報＃Ｄの伝送方式について詳細に説明する。
【０１７５】
例えば、本発明の実施例では、ネットワーク装置は端末装置＃Ａに対するＲＲＣシグナリングにより、端末装置＃Ａへ該配置情報＃Ｃを送信することができる。
【０１７６】
そして、ネットワーク装置は端末装置＃Ａに対するＭＡＣ  ＣＥにより、端末装置＃Ａへ該配置情報＃Ｄを送信することができる。
【０１７７】
又は、ネットワーク装置は端末装置＃Ａに対するＤＣＩにより、端末装置＃Ａへ該配置情報＃Ｄを送信することができる。
【０１７８】
また、例えば、本発明の実施例では、ネットワーク装置は端末装置＃Ａに対するＭＡＣ  ＣＥにより、端末装置＃Ａへ該配置情報＃Ｃを送信することができる。
【０１７９】
そして、ネットワーク装置は端末装置＃Ａに対するＤＣＩにより、端末装置＃Ａへ該配置情報＃Ｄを送信することができる。
【０１８０】
また、本発明の実施例では、通信システムに提供された伝送リソースに所定のチャネル（例えば通信チャネル又はブロードキャスト）又はサービスにリザーブされた伝送リソースが含まれ、且つ、通信システムでは、該一部の伝送リソースが保護され、他のチャネル又はサービスが使用できなく、この場合、本発明の実施例では、伝送リソース＃Ａは該一部のリソースを含まなくてもよい。
【０１８１】
そして、本発明の実施例では、該ビームグループ＃１は複数のビームを含むことができ、該複数のビームが該伝送リソース＃Ａを共同で使用することができ、これにより、端末装置＃Ａは該ビームグループ＃１に含まれる複数のビームで組み合わせて伝送することができる。
【０１８２】
又は、本発明の実施例では、ビームグループ＃１の使用し得る伝送リソース＃Ａは他のビームグループの使用し得る伝送リソースが重なる（例えば一部が同じである）ことができ、又は、ビームグループ＃１の使用し得る伝送リソース＃Ａは他のビームグループの使用し得る伝送リソースと異なってもよく、本発明で特に限定されない。
【０１８３】
本発明の実施例では、該伝送リソース＃Ａは制御チャネルを搬送するための伝送リソース（即ち第一の伝送リソースの一例）を含むことができる。
【０１８４】
そして、本発明の実施例では、該伝送リソース＃Ａはデータチャネルを搬送するための伝送リソース（即ち第二の伝送リソースの一例）を含むこともできる。
【０１８５】
ここで、制御チャネルを搬送する伝送リソース（即ち第一の伝送リソース）のうちの一部のリソースはデータチャネルを搬送することに用いられてもよい。
【０１８６】
そして、データチャネルを搬送する伝送リソース（即ち第二の伝送リソース）のうちの一部のリソースは制御チャネルを搬送することに用いられてもよい。
【０１８７】
ここで、伝送リソース＃Ａにおいて制御チャネルを搬送する伝送リソース（即ち第一の伝送リソース）とデータチャネルを搬送する伝送リソース（即ち第二の伝送リソース）は同じであってもよいし、異なってもよく、本発明で特に限定されない。
【０１８８】
本発明の実施例では、制御チャネルとデータチャネルに配置されたビームは異なってもよく、例えば、制御チャネルに２つのビームにおける伝送リソースが配置され、データチャネルに１つのビームにおける伝送リソースが配置される。
【０１８９】
そして、ビームグループ＃１内の一つのビーム（即ち第一のビームの一例）とビームグループ＃１内の別のビーム（即ち第二のビームの一例）の伝送リソースは同じであってもよいし、異なってもよく、本発明で特に限定されない。
【０１９０】
端末装置が現在ダウンリンク制御情報（ＤＣＩ）によりマルチサブフレーム（ｍｕｌｔｉｐｌｅ  ｓｕｂｆｒａｍｅ）又はマルチスロット（ｍｕｌｔｉｐｌｅ  ｓｌｏｔ）又はマルチミニスロット（ｍｕｌｔｉｐｌｅ  ｍｉｎｉ−ｓｌｏｔ、ｍｕｌｔｉｐｌｅ  ｓｕｂｓｌｏｔ）スケジューリングに対応する利用可能な伝送リソースが既存の配置と一致しないことを取得した場合、端末装置は現在の最新のＤＣＩ指示に基づいてビームの伝送リソースを確定することができる。
【０１９１】
具体的には、本発明の実施例では、上記伝送リソース＃Ａはビームグループ＃１によって時間帯＃Ａ（即ち第一の時間帯の一例）で使用され得る伝送リソースであってもよい。
【０１９２】
時間帯＃Ｂ（即ち第二の時間帯の一例）の前に、ネットワーク装置はビームグループ＃１によって時間帯＃Ｂで使用され得る伝送リソース＃Ｂを再度確定して送信することができる。
【０１９３】
ここで、該伝送リソース＃Ｂの確定及び送信プロセスは伝送リソース＃Ａの確定及び送信プロセスと類似し、ここで、繰り返し説明を回避するために、その詳細な説明を省略する。
【０１９４】
Ｓ２３０において、ネットワーク装置と端末装置＃Ａはビームグループ＃１で伝送リソース＃Ａを使用して通信することができる。
【０１９５】
説明すべきものとして、端末装置が例えば一つのＤＣＩ（以下に理解及び説明を容易にするために、ＤＣＩ＃１と表記する）により、ビームグループ＃１に使用される伝送リソース＃Ａを示す配置情報を受信した後、他のＤＣＩ（以下に理解及び説明を容易にするために、ＤＣＩ＃２と表記する）に示される、ビームグループ＃１に使用される伝送リソース＃Ｙを受信した場合、端末装置は該ＤＣＩ＃２を標準とし、ビームグループ＃１に使用される伝送リソース（即ち伝送リソース＃Ｙ）を確定することができる。
【０１９６】
また、該伝送リソース＃Ａと伝送リソース＃Ｙが完全に同じであってもよいし、一部で同じであってもよいし、異なってもよく、本発明で特に限定されない。
【０１９７】
ネットワーク装置に一つ又は複数のビームの使用し得る伝送リソースを確定させ、そして該一つ又は複数のビームの使用し得る伝送リソースを配置情報で端末装置に示すことにより、ネットワーク装置が需要に応じてビームの使用し得る伝送リソースを変更することをサポートすることができ、それによって不必要なサービス要求を満たし、マルチビームシステムの実用性とユーザ体験を向上させることができる。
【０１９８】
以上に図１〜図３を組み合わせて本発明の実施例による無線通信方法を詳細に説明したが、以下に図４と図５を組み合わせて本発明の実施例による無線通信装置を詳細に説明する。
【０１９９】
図４は本発明の実施例による無線通信装置３００の概略ブロック図である。図４に示すように、該装置３００は確定ユニット３１０と通信ユニット３２０を備える。
【０２００】
確定ユニット３１０はＭ個のビームグループの使用し得る伝送リソースを確定するように構成され、ここで、各ビームグループが該少なくとも２つのビームのうちの少なくとも一つを含み、Ｍ≧１である。
【０２０１】
通信ユニット３２０は第一の端末装置へ配置情報を送信するように構成され、該配置情報が各ビームグループの使用し得る伝送リソースを示すことに用いられる。
【０２０２】
選択可能に、該通信ユニット３２０は具体的に該第一の端末装置に対する専用シグナリングにより、該第一の端末装置へ該配置情報を送信するように構成され、又は
該通信ユニット３２０は具体的に物理ブロードキャストチャネル（ＰＢＣＨ）又はシステムブロードキャストメッセージにより、該第一の端末装置を含む複数の端末装置へ該配置情報を送信するように構成される。
【０２０３】
選択可能に、該配置情報は具体的に該Ｍ個のビームグループと該Ｍ個の伝送リソースとの一対一マッピング関係を示すことに用いられる。
【０２０４】
選択可能に、該通信ユニットは該第一の端末装置へ第一の配置情報を送信するように構成され、該第一の配置情報が複数の伝送リソースの配置を示すことに用いられ、且つ該第一の配置情報が該複数の伝送リソースとＱ個の第一の識別子との一対一マッピング関係を示すことに用いられる。
【０２０５】
該通信ユニットはさらに該第一の端末装置へ第二の配置情報を送信するように構成され、該第二の配置情報が該Ｍ個のビームグループ内の各ビームの使用し得る伝送リソースに対応する第一の識別子を含む。
【０２０６】
選択可能に、該通信ユニットは無線リソース制御（ＲＲＣ）シグナリングにより該第一の端末装置へ該第一の配置情報を送信するように構成される。
【０２０７】
該通信ユニットはメディアアクセス制御（ＭＡＣ）制御ユニット（ＣＥ）又はダウンリンク制御情報（ＤＣＩ）により、該第一の端末装置へ該第二の配置情報を送信するように構成される。
【０２０８】
選択可能に、該通信ユニットはＭＡＣ  ＣＥにより、該第一の端末装置へ該第一の配置情報を送信するように構成される。
【０２０９】
該通信ユニットはＤＣＩにより、該第一の端末装置へ該第二の配置情報を送信するように構成される。
【０２１０】
選択可能に、該通信ユニットは該第一の端末装置へ第三の配置情報を送信するように構成され、該第三の配置情報がＨ個の伝送リソースセットのそれぞれに含まれる伝送リソースの配置を示すことに用いられ、該第三の配置情報が該Ｍ個のビームグループを含むＨ個のビームグループと該Ｈ個の伝送リソースセットとの一対一マッピング関係を示すことに用いられ、且つ該第三の配置情報が該伝送リソースセットｈにおける伝送リソースセットｈに含まれる伝送リソースｔのインデックスを示すことに用いられ、ここで、該Ｈ個のビームグループのそれぞれが少なくとも一つのビームを含み、各伝送リソースセットが少なくとも一つの伝送リソースを含み、ｈ∈［１，Ｈ］、ｔ∈［１，Ｔ］であり、Ｔが伝送リソースセットｈに含まれる伝送リソースの数であり、Ｔ≧１，Ｈ≧１である。
【０２１１】
該通信ユニットはさらに該第一の端末装置へ第四の配置情報を送信するように構成され、該第四の配置情報が該Ｍ個のビームグループのそれぞれの識別子を含み、且つ該第四の配置情報が該ビームグループｉに対応する伝送リソースセットにおけるビームグループｉの使用し得る伝送リソースのインデックスを示すことに用いられ、ｉ∈［１，Ｍ］である。
【０２１２】
選択可能に、該通信ユニットはＲＲＣシグナリングにより、該第一の端末装置へ該第三の配置情報を送信するように構成される。
【０２１３】
該通信ユニットはＭＡＣ  ＣＥ又はＤＣＩにより、該第一の端末装置へ該第四の配置情報を送信するように構成される。
【０２１４】
選択可能に、該通信ユニットはＭＡＣ  ＣＥにより、該第一の端末装置へ該第三の配置情報を送信するように構成される。
【０２１５】
該通信ユニットはＤＣＩにより、該第一の端末装置へ該第四の配置情報を送信するように構成される。
【０２１６】
選択可能に、該伝送リソースは時間領域伝送リソースを含む。
【０２１７】
選択可能に、該装置が所在する通信システムが使用できる時間領域リソースは時間領域において少なくとも２つの時間単位に分けられ、及び
該配置情報は、各ビームグループの使用し得る伝送リソースに含まれる時間単位の該少なくとも２つの時間単位における位置を具体的に示すことに用いられる。
【０２１８】
選択可能に、該伝送リソースは周波数領域伝送リソースを含む。
【０２１９】
選択可能に、該装置が所在する通信システムが使用できる周波数領域リソースは少なくとも２つの周波数領域単位に分けられ、及び
該配置情報は、各ビームグループの使用し得る伝送リソースに含まれる周波数領域単位の該少なくとも２つの周波数領域単位における位置を具体的に示すことに用いられる。
【０２２０】
選択可能に、各ビームグループの使用し得る伝送リソースは通信システムにリザーブされた伝送リソースを含まなく、通信システムにリザーブされた伝送リソースが所定のサービス又は所定のチャネルの伝送のみに用いられる。
【０２２１】
選択可能に、該Ｍ個のビームグループ内の第一のビームと第二のビームの使用し得る伝送リソースは一部で同じ又は全て同じである。
【０２２２】
選択可能に、該Ｍ個のビームグループ内の第一のビームグループの使用し得る伝送リソースは該第一のビームグループを搬送する制御チャネルに使用される第一の伝送リソースを含み、及び／又は
該第一のビームグループの使用し得る伝送リソースは該第一のビームグループを搬送するデータチャネルに使用される第二の伝送リソースを含む。
【０２２３】
選択可能に、該確定ユニット３１０は具体的にＭ個のビームグループのそれぞれによって第一の時間帯で使用され得る伝送リソースを確定し、そしてＭ個のビームグループのそれぞれによって第二の時間帯で使用され得る伝送リソースを確定するように構成される。
【０２２４】
該通信ユニット３２０は具体的に該第一の時間帯の前に該第一の端末装置へ第五の配置情報を送信し、該第五の配置情報が該Ｍ個のビームグループのそれぞれが該第一の時間帯で使用できる伝送リソースを示すことに用いられ、該第二の時間帯の前に該第一の端末装置へ第六の配置情報を送信するように構成され、該第六の配置情報が、該Ｍ個のビームグループのそれぞれが該第二の時間帯で使用できる伝送リソースを示すことに用いられ、ここで、該第二の時間帯が該第一の時間帯と異なる。
【０２２５】
本発明の実施例による無線通信装置３００は本発明の実施例の方法におけるネットワーク装置に対応することができ、且つ、無線通信装置９００における各ユニット即ちモジュールと上記の他の操作及び／又は機能はそれぞれ図３における方法２００におけるネットワーク装置で実行される対応プロセスを実現するためのものであり、簡潔するために、ここでは説明を省略する。
【０２２６】
図５は本発明の実施例による無線通信装置４００の概略ブロック図である。図５に示すように、該装置４００は通信ユニット３１０と確定ユニット３２０を備える。
【０２２７】
通信ユニット３１０はネットワーク装置から送信された配置情報を受信するように構成され、該配置情報がＭ個のビームグループ内の各ビームの使用し得る伝送リソースを示すことに用いられ、ここで、各ビームグループが該少なくとも２つのビームのうちの少なくとも一つを含み、Ｍ≧１である。
【０２２８】
確定ユニット３２０は該配置情報に基づき、該Ｍ個のビームグループ内の各ビームの使用し得る伝送リソースを確定するように構成される。
【０２２９】
選択可能に、該通信ユニット３１０は具体的に該ネットワーク装置が該装置に対する専用シグナリングにより送信した配置情報を受信するように構成され、又は
該通信ユニット３１０は具体的に該ネットワーク装置が物理ブロードキャストチャネル（ＰＢＣＨ）又はシステムブロードキャストメッセージにより該第一の端末装置を含む複数の端末装置に送信した配置情報を受信するように構成される。
【０２３０】
選択可能に、該配置情報は具体的に該Ｍ個のビームグループと該Ｍ個の伝送リソースとの一対一マッピング関係を示すことに用いられる。
【０２３１】
選択可能に、該通信ユニット３１０は具体的にネットワーク装置から送信された第一の配置情報を受信するように構成され、該第一の配置情報が複数の伝送リソースの配置を示すことに用いられ、且つ該第一の配置情報が該複数の伝送リソースとＱ個の第一の識別子との一対一マッピング関係を示すことに用いられる。
【０２３２】
該通信ユニット３１０は具体的にネットワーク装置から送信された第二の配置情報を受信するように構成され、該第二の配置情報が該Ｍ個のビームグループ内の各ビームの使用し得る伝送リソースに対応する第一の識別子を含む。
【０２３３】
選択可能に、該通信ユニット３１０は具体的にネットワーク装置が無線リソース制御（ＲＲＣ）シグナリングにより送信した第一の配置情報を受信するように構成される。
【０２３４】
該通信ユニット３１０は具体的にネットワーク装置がメディアアクセス制御（ＭＡＣ）制御ユニット（ＣＥ）又はダウンリンク制御情報（ＤＣＩ）により送信した該第二の配置情報を受信するように構成される。
【０２３５】
選択可能に、該通信ユニット３１０は具体的に該ネットワーク装置がＭＡＣ  ＣＥにより送信した第一の配置情報を受信するように構成される。
【０２３６】
該通信ユニット３１０は具体的に該ネットワーク装置がＤＣＩにより送信した第二の配置情報を受信するように構成される。
【０２３７】
選択可能に、該通信ユニット３１０は具体的に該ネットワーク装置から送信された第三の配置情報を受信するように構成され、該第三の配置情報がＨ個の伝送リソースセットのそれぞれに含まれる伝送リソースの配置を示すことに用いられ、該第三の配置情報が該Ｍ個のビームグループを含むＨ個のビームグループと該Ｈ個の伝送リソースセットとの一対一マッピング関係を示すことに用いられ、且つ該第三の配置情報が該伝送リソースセットｈにおける伝送リソースセットｈに含まれる伝送リソースｔのインデックスを示すことに用いられ、ここで、該Ｈ個のビームグループのそれぞれが少なくとも一つのビームを含み、各伝送リソースセットが少なくとも一つの伝送リソースを含み、ｈ∈［１，Ｈ］、ｔ∈［１，Ｔ］であり、Ｔが伝送リソースセットｈに含まれる伝送リソースの数であり、Ｔ≧１，Ｈ≧１である。
【０２３８】
該通信ユニット３１０は具体的にネットワーク装置から送信された第四の配置情報を受信するように構成され、該第四の配置情報が該Ｍ個のビームグループのそれぞれの識別子を含み、且つ該第四の配置情報が該ビームグループｉに対応する伝送リソースセットにおけるビームグループｉの使用し得る伝送リソースのインデックスを示すことに用いられ、ｉ∈［１，Ｍ］である。
【０２３９】
選択可能に、該通信ユニット３１０は具体的に該ネットワーク装置がＲＲＣシグナリングにより送信した第三の配置情報を受信するように構成される。
【０２４０】
該通信ユニット３１０は具体的にネットワーク装置がＭＡＣ  ＣＥ又はＤＣＩにより送信した第四の配置情報を受信するように構成される。
【０２４１】
選択可能に、該通信ユニット３１０は具体的に該ネットワーク装置がＭＡＣ  ＣＥにより送信した第三の配置情報を受信するように構成される。
【０２４２】
該通信ユニット３１０は具体的に該ネットワーク装置がＤＣＩにより送信した第四の配置情報を受信するように構成される。
【０２４３】
選択可能に、該伝送リソースは時間領域伝送リソースを含む。
【０２４４】
選択可能に、該ネットワーク装置が所在する通信システムが使用できる時間領域リソースは時間領域において少なくとも２つの時間単位に分けられ、及び
該配置情報は、各ビームグループの使用し得る伝送リソースに含まれる時間単位の該少なくとも２つの時間単位における位置を具体的に示すことに用いられる。
【０２４５】
選択可能に、該伝送リソースは周波数領域伝送リソースを含む。
【０２４６】
選択可能に、該ネットワーク装置が所在する通信システムが使用できる周波数領域リソースは少なくとも２つの周波数領域単位に分けられ、及び
該配置情報は、各ビームグループの使用し得る伝送リソースに含まれる周波数領域単位の該少なくとも２つの周波数領域単位における位置を具体的に示すことに用いられる。
【０２４７】
選択可能に、各ビームグループの使用し得る伝送リソースは通信システムにリザーブされた伝送リソースを含まなく、通信システムにリザーブされた伝送リソースが所定のサービス又は所定のチャネルの伝送のみに用いられる。
【０２４８】
選択可能に、該Ｍ個のビームグループ内の第一のビームと第二のビームの使用し得る伝送リソースは一部で同じ又は全て同じである。
【０２４９】
選択可能に、該Ｍ個のビームグループ内の第一のビームグループの使用し得る伝送リソースは該第一のビームグループを搬送する制御チャネルに使用される第一の伝送リソースを含み、及び／又は
該第一のビームグループの使用し得る伝送リソースは該第一のビームグループを搬送するデータチャネルに使用される第二の伝送リソースを含む。
【０２５０】
選択可能に、該通信ユニット３１０は具体的に該ネットワーク装置が該第一の時間帯の前に送信した第五の配置情報を受信するように構成され、該第五の配置情報が、該Ｍ個のビームグループのそれぞれによって該第一の時間帯で使用され得る伝送リソースを示すことに用いられる。
【０２５１】
該通信ユニット３１０は具体的に該ネットワーク装置が第二の時間帯の前に送信した第六の配置情報を受信するように構成され、該第六の配置情報が、該Ｍ個のビームグループのそれぞれによって該第二の時間帯で使用され得る伝送リソースを示すことに用いられ、ここで、該第二の時間帯が該第一の時間帯と異なる。
【０２５２】
本発明の実施例による無線通信装置４００は本発明の実施例の方法における第一の端末装置（例えば端末装置＃Ａ）に対応することができ、且つ、無線通信装置４００における各ユニット即ちモジュールと上記の他の操作及び／又は機能はそれぞれ図３における方法２００における端末装置＃Ａで実行される対応プロセスを実現するためのものであり、簡潔するために、ここでは説明を省略する。
【０２５３】
以上に図１〜図３を組み合わせて本発明の実施例による無線通信方法を詳細に説明したが、以下に図６と図７を組み合わせて本発明の実施例による無線通信装置を詳細に説明する。
【０２５４】
図６は本発明の実施例による無線通信装置５００の概略ブロック図である。図６に示すように、該装置５００はプロセッサ５１０と送受信機５２０を備え、プロセッサ５１０と送受信機５２０が通信接続であり、選択可能に、該装置５００はさらにメモリ５３０を備え、メモリ５３０とプロセッサ５１０が通信接続を有することができる。ここで、プロセッサ５１０、メモリ５３０と送受信機５２０は通信接続を有することができ、該メモリ５３０は命令を記憶するように構成されてもよく、該プロセッサ５１０は情報又は信号を送信するように送受信機５２０を制御するために、該メモリ５３０に記憶された命令を実行するように構成される。
【０２５５】
プロセッサ５１０は図４における確定ユニット３１０に対応することができ、送受信機５２０は図４における通信ユニット３２０に対応することができる。
【０２５６】
本発明の実施例による無線通信装置５００は本発明の実施例の方法におけるネットワーク装置に対応することができ、且つ、無線通信装置５００における各ユニット即ちモジュールと上記の他の操作及び／又は機能はそれぞれ図３における方法２００におけるネットワーク装置で実行される対応プロセスを実現するためのものであり、簡潔するために、ここでは説明を省略する。
【０２５７】
図７は本発明の実施例による無線通信装置６００の概略ブロック図である。図７に示すように、該装置６００はプロセッサ６１０と送受信機６２０を備え、プロセッサ６１０と送受信機６２０が通信接続であり、選択可能に、該装置６００はさらにメモリ６３０を備え、メモリ６３０とプロセッサ６１０が通信接続を有することができる。ここで、プロセッサ６１０、メモリ６３０と送受信機６２０は通信接続を有することができ、該メモリ６３０は命令を記憶するように構成されてもよく、該プロセッサ６１０は情報又は信号を送信するように送受信機６２０を制御するために、該メモリ６３０に記憶された命令を実行するように構成される。
【０２５８】
プロセッサ６１０は図５における確定ユニット４１０に対応することができ、送受信機６２０は図５における通信ユニット４２０に対応することができる。
【０２５９】
本発明の実施例による無線通信装置６００は本発明の実施例の方法における第一の端末装置に対応することができ、且つ、無線通信装置６００における各ユニット即ちモジュールと上記の他の操作及び／又は機能はそれぞれ図３における方法２００における第一の端末装置で実行される対応プロセスを実現するためのものであり、簡潔するために、ここでは説明を省略する。
【０２６０】
注意すべきものとして、本発明の実施例における上記方法の実施例はプロセッサに応用されてもよく、又はプロセッサによって実現されてもよい。プロセッサは信号処理機能を有する集積回路チップである可能性がある。実施プロセスでは、上記方法の実施例における各ステップは、プロセッサ内のハードウェアの集積論理回路又はソフトウェアの形の命令によって完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完了する。
【０２６１】
本発明の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０２６２】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２６３】
本発明の実施例における様々な実施例では、上記各プロセスの番号の大きさが実行順序を意味せず、各プロセスの実行順序はその機能と内部論理で確定されるべきであり、本発明の実施例の実施プロセスのいかなる限定を構成すべきではないと理解すべきである。
【０２６４】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定の応用に対して異なる方法を用いて記述される機能を実現することが可能だが、但しこのような実現は本発明の実施例の範囲を超えると見なされるべきではない。
【０２６５】
当業者は、便利および簡潔に説明するために、上記のシステム、装置及びユニットの具体的な動作プロセスについて、前記方法の実施例における対応するプロセスを参照できるため、ここでは説明を省略することを明確に理解することができる。
【０２６６】
本出願が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよいまたは別のシステムに統合されてもよく、またはいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０２６７】
分離部材として説明された前記ユニットは物理的に分離するものであってもよく又は物理的に分離するものでなくてもよく、ユニットとして表示された部材は物理的要素であってもよく又は物理的ユニットでなくてもよく、すなわち一つの箇所に位置してもよく、又は複数のネットワーク要素に分布してもよい。実際のニーズに応じてそのうちの一部または全てのユニットを選択して本実施例の技術的解決策の目的を達成することができる。
【０２６８】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０２６９】
前記機能はソフトウェア機能ユニットの形態で実現され且つ独立した製品として販売または使用される時に、一つのコンピュータ読み取り可能な記憶媒体に格納されてもよい。このような理解に基づき、本発明の実施例の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された方法の全てまたは部分のステップを実行させるためのいくつかの命令を含む、記憶媒体に記憶されてもよい。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２７０】
以上は、本発明の実施例の具体的な実施形態だけであり、本発明の実施例の保護範囲はこれに制限されず、当業者が本発明の実施例に開示された技術範囲内で容易に想到し得る変化又は入れ替わりが全て本発明の実施例の保護範囲以内に含まれるべきである。したがって、本発明の実施例の保護範囲は前記特許請求の範囲に準拠するべきである。
【図１】
2022003805.tif 000003
【図２】
2022003805.tif 000004
【図３】
2022003805.tif 000005
【図４】
2022003805.tif 000006
【図５】
2022003805.tif 000007
【図６】
2022003805.tif 000008
【図７】
2022003805.tif 000009